(57)【要約】【課題】容易に、試料の結晶性の情報を得ることが可能な荷電粒子線装置を提供する。【解決手段】電子顕微鏡１００は、試料Ｓに荷電粒子線が照射されることによって試料Ｓで回折された荷電粒子を検出する複数の検出部と、複数の検出部から出力された複数の検出信号の強度に基づく強度パターン情報を生成する強度パターン情報生成部３２と、を含む。【選択図】図１
2019121588.tif 000002
【特許請求の範囲】
【請求項１】
試料に荷電粒子線が照射されることによって前記試料で回折された荷電粒子を検出する複数の検出部と、
前記複数の検出部から出力された複数の検出信号の強度に基づく強度パターン情報を生成する強度パターン情報生成部と、
を含む、荷電粒子線装置。
【請求項２】
請求項１において、
前記荷電粒子線で前記試料を走査するための走査偏向器と、
前記試料に対する前記荷電粒子線の入射位置に関連づけられた前記強度パターン情報を解析するパターン解析部と、
前記パターン解析部での解析結果に基づいて、画像を生成する画像生成部と、
を含む、荷電粒子線装置。
【請求項３】
請求項２において、
前記パターン解析部は基準となる基準強度パターン情報と前記強度パターン情報とを比較し、前記画像生成部は前記試料の結晶方位の分布を示すパターン解析画像を生成する、荷電粒子線装置。
【請求項４】
請求項３において、
前記パターン解析部は、前記試料に対する前記荷電粒子線の入射位置に関連づけられた前記強度パターン情報に基づいて、前記基準強度パターン情報を取得する、荷電粒子線装置。
【請求項５】
請求項３または４において、
前記試料に前記荷電粒子線を照射することによって得られた回折パターンを取得する検出器を含み、
前記画像生成部は、前記回折パターンに基づいて、前記パターン解析画像を構成する画素における結晶方位を特定する、荷電粒子線装置。
【請求項６】
請求項５において、
前記パターン解析部は、
前記パターン解析画像を構成する複数の画素の各々において、当該画素における前記強度パターン情報と前記基準強度パターン情報を比較して画素をグループ化し、
グループごとに前記回折パターンを取得して、前記グループにおける結晶方位を特定する、荷電粒子線装置。
【請求項７】
請求項５または６において、
前記パターン解析部は、
前記回折パターンに基づいて、前記パターン解析画像において結晶粒の結晶方位を特定し、
前記パターン解析画像に含まれる結晶粒のうち、前記回折パターンに基づき結晶方位が特定できなかった結晶粒の結晶方位を、前記回折パターンに基づき結晶方位が特定された結晶粒の前記強度パターン情報に基づいて特定する、荷電粒子線装置。
【請求項８】
請求項３において、
前記パターン解析部は、結晶方位ごとに前記基準強度パターン情報が登録されたデータベースから前記基準強度パターン情報を取得する、荷電粒子線装置。
【請求項９】
請求項８において、
前記パターン解析部は、前記データベースに登録された前記基準強度パターン情報と前記強度パターン情報とを比較して、結晶方位を特定する、荷電粒子線装置。
【請求項１０】
請求項３ないし９のいずれか１項において、
前記画像生成部は、前記荷電粒子線の複数回の走査に応じて、複数の前記パターン解析画像を生成し、
複数の前記パターン解析画像において、前記基準強度パターン情報を共通とする、荷電粒子線装置。
【請求項１１】
請求項２において、
前記パターン解析部は、前記強度パターン情報に基づく強度パターンの対称性に基づいて、結晶方位を特定する、荷電粒子線装置。
【請求項１２】
請求項２において、
前記パターン解析部は基準となる基準強度パターン情報と前記強度パターン情報とを比較し、前記画像生成部は前記試料の結晶粒界が抽出された結晶粒界画像を生成する、荷電粒子線装置。
【請求項１３】
請求項１ないし１２のいずれか１項において、
前記複数の検出部は、複数の検出領域を有する分割型検出器で構成されている、荷電粒子線装置。
【請求項１４】
請求項１ないし１３のいずれか１項において、
前記強度パターン情報生成部は、前記複数の検出部から出力された複数の検出信号の強度を規格化して、前記強度パターン情報を生成する、荷電粒子線装置。
【請求項１５】
請求項１において、
前記強度パターン情報生成部は、前記複数の検出部から出力された複数の検出信号の強度に基づいて、前記強度パターン情報としてのラインプロファイルを生成する、荷電粒子線装置。
【請求項１６】
請求項１５において、
前記強度パターン情報としてのラインプロファイルに基づいて、結晶方位を特定するラインプロファイル解析部を含む、荷電粒子線装置。
【請求項１７】
請求項１６において、
前記ラインプロファイル解析部は、
前記試料に前記荷電粒子線を照射することによって得られる回折パターンを計算により求め、
求めた前記回折パターンから基準となる基準ラインプロファイルを生成し、
前記強度パターン情報としてのラインプロファイルと、前記基準ラインプロファイルとを比較して、結晶方位を特定する、荷電粒子線装置。
【請求項１８】
請求項１７において、
前記試料に前記荷電粒子線を照射することによって発生したＸ線を検出するＸ線検出器を含み、
前記ラインプロファイル解析部は、前記Ｘ線検出器を用いた元素分析の結果に基づいて、回折パターンを計算する、荷電粒子線装置。
【請求項１９】
試料に荷電粒子線が照射されることによって前記試料で回折された荷電粒子を検出する検出部と、
前記検出部を移動させる移動機構と、
前記検出部から出力された検出信号の強度および前記検出部の位置に基づくラインプロファイルを生成する強度パターン情報生成部と、
を含む、荷電粒子線装置。
【請求項２０】
試料に荷電粒子線が照射されることによって前記試料で回折された荷電粒子を複数の検出部で検出する工程と、
前記複数の検出部から出力された複数の検出信号の強度に基づく強度パターン情報を生成する工程と、
を含む、分析方法。
【請求項２１】
試料に荷電粒子線が照射されることによって前記試料で回折された荷電粒子を、検出部の位置を変更しながら検出する工程と、
前記検出部から出力された検出信号の強度および前記検出部の位置に基づくラインプロファイルを生成する工程と、
を含む、分析方法。
【発明の詳細な説明】
【技術分野】
【０００１】
本発明は、荷電粒子線装置および分析方法に関する。
【背景技術】
【０００２】
電子は粒子性と波動性の性質を持っていることは広く知られている。透過電子顕微鏡では、これを利用して電子を試料で干渉させて回折パターンを取得し試料の結晶構造を調べる手法が古くから利用されている。
【０００３】
走査電子顕微鏡においても電子の波動性を利用し試料の結晶方位を解析する手法が確立されている。
【０００４】
このような手法として、例えば、ＥＢＳＤ（Electron Back Scatter Diffraction Patterns）法や、ＥＣＰ（electron channeling pattern）法が知られている。まず、ＥＢＳＤ法について説明する。試料表面に対して約７０°方向から電子線を入射すると、電子は回折されて反射電子として試料から放出される。このとき現れる回折パターンをＥＢＳＤ検出器に投影し、得られた回折パターンから結晶方位を解析する（例えば特許文献１参照）。
【０００５】
次に、ＥＣＰ法について説明する。電子線の入射角を変化させながら試料からの信号を取得し、電子線入射角と信号量で画像を作成して、干渉縞を得る。この干渉縞は試料の結晶格子が反映されたものであり、この干渉縞を解析することで、試料の結晶方位の情報を得ることができる。
【先行技術文献】
【特許文献】
【０００６】
【特許文献１】特開２０１４−１７８１５４号公報
【発明の概要】
【発明が解決しようとする課題】
【０００７】
ここで、ＥＢＳＤ法では、回折パターンを取得するための専用の検出器が必要である。また、高い加速電圧で電子を加速させて試料に入射させるために空間分解能が悪かった。
【０００８】
また、ＥＣＰ法では、電子線を一点に照射しながら入射角度を変えるため、照射系に特殊な光学系が必要であった。
【０００９】
試料の結晶粒の大きさを評価するなど、簡易的に試料の結晶性を評価する場合には、反射電子像が用いられる。反射電子像は、半導体検出器のような数ｋｅＶ以上の比較的高いエネルギーの電子を取得する検出器を用いて反射電子を検出することで得られる。反射電子像では、結晶方位によってコントラスト（チャネリングコントラスト）の強弱が変化するので、結晶粒の大きさを判断できる。
【００１０】
例えば、鉄鉱材料において、結晶粒の大きさは強度や性能に影響することから、結晶粒の大きさを評価することは重要である。しかし、必ずしもＥＢＳＤ法を用いて結晶方位を正確に求めて結晶粒を評価するようなことまでは必要がなく、結晶粒の大きさが判断できればよい場合も多い。
【００１１】
そのため、反射電子像によるチャネリングコントラストを取得することで結晶粒の大き
さを評価することがあるが、反射電子像では異なる方位の結晶粒も同じ明るさとなることがあるので実際の結晶粒より大きく見える場合がある。
【００１２】
また、半導体では結晶方位が重要であるが、例えば１００面とそれ以外の面を判別し、１００面が然るべき方向を向いているか判断できればよい場合も多い。これらの用途でＥＢＳＤ法やＥＣＰ法を用いるのは性能面で過剰であり、測定に手間がかかる。そのため、手軽で簡易的な解析方法が求められている。
【００１３】
本発明の目的は、容易に、試料の結晶性の情報を得ることが可能な荷電粒子線装置および分析方法を提供することにある。
【課題を解決するための手段】
【００１４】
本発明に係る荷電粒子線装置の一態様は、
試料に荷電粒子線が照射されることによって前記試料で回折された荷電粒子を検出する複数の検出部と、
前記複数の検出部から出力された複数の検出信号の強度に基づく強度パターン情報を生成する強度パターン情報生成部と、
を含む。
【００１５】
このような荷電粒子線装置では、複数の検出部から出力された複数の検出信号の強度に基づいて、試料の結晶性の情報を得ることが可能な強度パターン情報を生成することができる。そのため、容易に、試料の結晶性の情報を得ることができる。
【００１６】
本発明に係る荷電粒子線装置の一態様は、
試料に荷電粒子線が照射されることによって前記試料で回折された荷電粒子を検出する検出部と、
前記検出部を移動させる移動機構と、
前記検出部から出力された検出信号の強度および前記検出部の位置に基づくラインプロファイルを生成する強度パターン情報生成部と、
を含む。
【００１７】
このような荷電粒子線装置では、検出部から出力された検出信号の強度および検出部の位置に基づいて、試料の結晶性の情報を得ることが可能なラインプロファイルを生成することができる。そのため、容易に、試料の結晶性の情報を得ることができる。
【００１８】
本発明に係る分析方法の一態様は、
試料に荷電粒子線が照射されることによって前記試料で回折された荷電粒子を複数の検出部で検出する工程と、
前記複数の検出部から出力された複数の検出信号の強度に基づく強度パターン情報を生成する工程と、
を含む。
【００１９】
このような分析方法では、複数の検出部から出力された複数の検出信号の強度に基づいて、試料の結晶性の情報を得ることが可能な強度パターン情報を生成することができる。そのため、容易に、試料の結晶性の情報を得ることができる。
【００２０】
本発明に係る分析方法の一態様は、
試料に荷電粒子線が照射されることによって前記試料で回折された荷電粒子を、検出部の位置を変更しながら検出する工程と、
前記検出部から出力された検出信号の強度および前記検出部の位置に基づくラインプロ
ファイルを生成する工程と、
を含む。
【００２１】
このような分析方法では、検出部から出力された検出信号の強度および検出部の位置に基づいて、試料の結晶性の情報を得ることが可能なラインプロファイルを生成することができる。そのため、容易に、試料の結晶性の情報を得ることができる。
【図面の簡単な説明】
【００２２】
【図１】第１実施形態に係る電子顕微鏡の構成を示す図。
【図２】電子検出器を模式的に示す平面図。
【図３】シミュレーションの結果を示す図。
【図４】シミュレーションの結果を示す図。
【図５】分割型検出器における信号強度の分布を示す図。
【図６】第１〜第ｎ検出信号の強度を示すグラフ。
【図７】第１〜第ｎ検出信号の強度に基づき生成された強度パターンを示す図。
【図８】強度パターンを取得した位置を示す図。
【図９】強度パターンａと、強度パターンｂと、を比較した図。
【図１０】強度パターンａと、強度パターンｃと、を比較した図。
【図１１】視野中心の画素における強度パターンを基準強度パターンとした場合のパターン解析画像。
【図１２】矢印で示す画素における強度パターンを基準強度パターンとした場合のパターン解析画像。
【図１３】基準強度パターンを３つ用いて生成されたパターン解析画像。
【図１４】試料の反射電子像。
【図１５】試料の結晶粒界画像。
【図１６】第１実施形態に係る電子顕微鏡の処理部の処理の流れの一例を示すフローチャート。
【図１７】第２実施形態に係る電子顕微鏡の構成を示す図。
【図１８】同じ結晶方位であって、かつ、結晶方位の回転角が異なる場合に、基準強度パターンと解析強度パターンを比較した図。
【図１９】基準強度パターンを１１２．５°回転させて、解析強度パターンと比較した図。
【図２０】検出領域の信号強度を示す図。
【図２１】検出領域の信号強度を示す図。
【図２２】第２実施形態に係る電子顕微鏡の処理部の処理の流れの一例を示すフローチャート。
【図２３】第３実施形態に係る電子顕微鏡の構成を示す図。
【図２４】第３実施形態に係る電子顕微鏡の処理部の処理の流れの一例を示すフローチャート。
【図２５】第４実施形態に係る電子顕微鏡の構成を示す図。
【図２６】第５実施形態に係る電子顕微鏡の構成を示す図。
【図２７】電子検出器を模式的に示す平面図。
【図２８】回折パターンと電子検出器の関係を示す図。
【図２９】強度ラインプロファイルの一例を示す図。
【図３０】基準ラインプロファイルを求める手法を説明するための図。
【図３１】基準ラインプロファイルを求める手法を説明するための図。
【図３２】第５実施形態に係る電子顕微鏡の処理部の処理の流れの一例を示すフローチャート。
【図３３】電子検出器の変形例について説明するための図。
【図３４】電子検出器の変形例について説明するための図。
【図３５】電子検出器の変形例について説明するための図。
【図３６】第６実施形態に係る電子顕微鏡の構成を示す図。
【図３７】第７実施形態に係る電子顕微鏡の構成を示す図。
【図３８】２つの電子検出器を模式的に示す平面図。
【図３９】結晶粒界画像を模式的に示す図。
【図４０】結晶粒界画像に内接円を描いた状態を模式的に示す図。
【図４１】第７実施形態に係る電子顕微鏡の処理部の処理の流れの一例を示すフローチャート。
【図４２】鉄原子に対する電子の弾性散乱断面積を示すグラフ。
【図４３】試料から放出された電子が散乱を起こした深さを示すグラフ。
【発明を実施するための形態】
【００２３】
以下、本発明の好適な実施形態について図面を用いて詳細に説明する。なお、以下に説明する実施形態は、特許請求の範囲に記載された本発明の内容を不当に限定するものではない。また、以下で説明される構成の全てが本発明の必須構成要件であるとは限らない。
【００２４】
また、以下では、本発明に係る荷電粒子線装置として、電子線を照射して試料の観察や分析等を行う走査電子顕微鏡を例に挙げて説明するが、本発明に係る荷電粒子線装置は電子線以外の荷電粒子線（イオン等）を照射して試料の観察や分析等を行う装置であってもよい。
【００２５】
１．  第１実施形態
１．１．  電子顕微鏡
まず、第１実施形態に係る電子顕微鏡について図面を参照しながら説明する。図１は、第１実施形態に係る電子顕微鏡１００の構成を示す図である。
【００２６】
電子顕微鏡１００は、図１に示すように、電子源（荷電粒子線源の一例）２と、収束レンズ３と、対物レンズ４と、走査偏向器５と、試料ステージ６と、電子検出器８と、走査信号発生器１０と、増幅器１２と、信号調整器１４と、信号取得部１６と、信号変換器１８と、操作部２０と、表示部２２と、記憶部２４と、処理部３０と、を含む。
【００２７】
電子源２は、電子を発生させる。電子源２は、例えば、陰極から放出された電子を陽極で加速し電子線（荷電粒子線の一例）を放出する電子銃である。
【００２８】
収束レンズ３は、対物レンズ４とともに、電子源２から放出された電子線を収束させて電子プローブ（荷電粒子プローブの一例）を形成する。収束レンズ３によって、電子プローブの径やプローブ電流（照射電流量）を制御することができる。
【００２９】
対物レンズ４は、試料Ｓの直前に配置された電子プローブを形成するためのレンズである。対物レンズ４は、例えば、コイルと、ヨークと、を含んで構成されている。対物レンズ４では、コイルで作られた磁力線を、鉄などの透磁率の高い材料で作られたヨークに閉じ込め、ヨークの一部に切欠きを作ることで、高密度に分布した磁力線を光軸ＯＡ上に漏洩させる。
【００３０】
走査偏向器５は、収束レンズ３と対物レンズ４とによって形成された電子プローブ（収束された電子線）を偏向させる。走査偏向器５は、電子プローブで、試料Ｓ上を走査するために用いられる。走査偏向器５は、走査信号発生器１０が発生させた走査信号に基づき駆動し、電子線を偏向させる。この結果、電子プローブで試料Ｓ上を走査することができる。
【００３１】
試料ステージ６には、試料Ｓが載置される。試料ステージ６は、試料Ｓを支持している。試料ステージ６は、試料Ｓを移動させるための駆動機構を有している。
【００３２】
電子検出器８は、試料Ｓに電子線が照射されることによって試料Ｓで散乱し回折された電子を検出する。結晶性の試料Ｓに電子を入射すると、電子は散乱した後、結晶の格子面で回折され、回折を受けた電子（反射電子）を放出する。電子顕微鏡１００では、この回折を受けた電子を含む反射電子を電子検出器８で検出する。
【００３３】
図２は、電子検出器８を模式的に示す平面図である。電子検出器８は、図２に示すように、ｎ個の検出領域９（検出部の一例）を有している分割型検出器である。ただし、ｎは２以上の整数であり、好ましくは５以上の整数である。図示の例ではｎ＝１６である。ｎ個の検出領域９は、それぞれ独立して電子を検出可能である。すなわち、ｎ個の検出領域９の各々が、検出した電子の量に応じた検出信号を出力する。具体的には、第１の検出領域９から第１検出信号が出力され、第２の検出領域９から第２検出信号が出力され、・・・第ｎの検出領域９から第ｎ検出信号が出力される。図２に示す例では、電子検出器８は、円環状の検出面を円周方向に分割することで、１６個の検出領域９が形成されている。電子検出器８は、光軸ＯＡ上に配置されている。電子検出器８では、円環状の検出面の中心を光軸ＯＡが通るように配置されている。
【００３４】
なお、検出器（検出面）の形状や、分割数は、図２に示す例に限定されない。また、電子検出器８として分割型検出器のかわりに、検出領域が１つの電子検出器を複数配置してもよい。この場合、１つの電子検出器が１つの検出部を構成している。
【００３５】
また、図１に示す例では、電子検出器８が対物レンズ４の直下に配置されているが、電子検出器８は、試料Ｓで回折された反射電子を検出することができればその位置は特に限定されない。
【００３６】
例えば、図示はしないが、電子顕微鏡１００において、対物レンズ４として、レンズの磁場を積極的に試料Ｓ付近まで発生させることで低加速電圧での分解能を向上させたレンズ（シュノーケルレンズ）を用いた場合、電子検出器８を対物レンズ４内に配置してもよい。この場合、試料Ｓから放出された電子は対物レンズ４の中心穴を通過して対物レンズ４内に到達しやすいためである。
【００３７】
電子顕微鏡１００では、電子源２から放出された電子線を収束レンズ３および対物レンズ４によって収束して電子プローブを形成し、走査偏向器５で電子線を偏向させることによって、電子プローブで試料Ｓ上を走査する。これにより、試料Ｓに入射した電子は試料Ｓ内で散乱した後、結晶の格子面によって回折される。回折を受けた電子（反射電子）は試料Ｓから放出され、電子検出器８の検出面には回折パターン（菊池パターン）が形成される。試料Ｓから放出された反射電子は、電子検出器８で検出される。
【００３８】
電子検出器８の検出領域９から出力された検出信号は、増幅器１２で増幅される。増幅器１２における検出信号の増幅率およびオフセット量等は、信号調整器１４により調整される。
【００３９】
信号取得部１６は、増幅された検出信号を取得する。信号取得部１６は、例えば、ｎ個の検出領域９から出力された第１〜第ｎ検出信号を同時に取得する。信号取得部１６は、走査信号発生器１０からの走査信号を受け付けて、試料Ｓにおける電子線の入射位置の情報を取得する。信号取得部１６では、検出信号が電子線の入射位置の情報に関連づけられる。信号取得部１６は、例えば、専用回路により実現できる。
【００４０】
信号取得部１６から出力された電子線の入射位置に関連付けられた検出信号は、信号変換器１８において処理部３０で読み取り可能な信号に変換される。
【００４１】
操作部２０は、ユーザーによる操作に応じた操作信号を取得し、処理部３０に送る処理を行う。操作部２０は、例えば、ボタン、キー、タッチパネル型ディスプレイ、マイクなどである。
【００４２】
表示部２２は、処理部３０によって生成された画像を表示するものである。表示部２２は、ＬＣＤ（Liquid Crystal Display）などのディスプレイにより実現できる。
【００４３】
記憶部２４は、処理部３０が各種の計算処理や制御処理を行うためのプログラムやデータ等を記憶している。また、記憶部２４は、処理部３０の作業領域として用いられ、処理部３０が各種プログラムに従って実行した算出結果等を一時的に記憶するためにも使用される。記憶部２４は、例えば、ＲＡＭ（Random Access Memory）、ＲＯＭ（Read Only Memory）、およびハードディスクにより実現できる。
【００４４】
処理部３０は、記憶部２４に記憶されているプログラムに従って、各種の制御処理や計算処理を行う。処理部３０の機能は、各種プロセッサ（ＣＰＵ（Central Processing Unit）等）でプログラムを実行することにより実現することができる。処理部３０は、強度パターン情報生成部３２と、パターン解析部３３と、画像生成部３４と、を含む。
【００４５】
強度パターン情報生成部３２は、ｎ個の検出領域９から出力された第１〜第ｎ検出信号の強度に基づく強度パターン情報を生成する。強度パターン情報は、後述するように第１〜第ｎ検出信号の強度を図形として表したものである。なお、強度パターン情報は、図形そのものの情報だけでなく、当該図形を行列として表したときの行列の情報、当該図形を数式として表したときの数式の情報などが含まれるものとする。
【００４６】
パターン解析部３３は、強度パターン情報生成部３２で生成された強度パターン同士を比較して、パターン解析情報を生成する。
【００４７】
画像生成部３４は、試料Ｓに対する電子線の入射位置に関連づけられたパターン解析情報に基づいて、画像を生成する。画像生成部３４がパターン解析情報に基づいて生成する画像は、後述する試料Ｓの結晶方位の分布を示す結晶方位画像および結晶粒の粒界を抽出した結晶粒界画像を含む。
【００４８】
強度パターン情報生成部３２の処理、パターン解析部３３の処理、および画像生成部３４の処理については後述する。
【００４９】
１．２．  原理
まず、電子顕微鏡１００における分析の原理について説明する。
【００５０】
結晶性の試料に電子を入射すると電子は散乱および回折され、試料から回折を受けた電子（反射電子）が放出される。走査電子顕微鏡でこの回折を受けた反射電子を検出して走査電子像を取得すると、結晶方位によって明るさが変化するチャネリングコントラストが得られる。電子の照射条件が同じでも検出器の位置を変えると回折の受け方が異なる電子を検出することとなり、チャネリングコントラストも変化する。そのため、複数の反射電子検出器を使って反射電子を検出し、それぞれの反射電子検出器の検出信号の強度から試料の結晶方位を解析できる。
【００５１】
１．２．１．  シミュレーション
シミュレーションで検出器の位置によって回折による信号強度の差があることを確認した。
【００５２】
シミュレーションの内容は以下のとおりである。
【００５３】
走査電子顕微鏡の検出器として、図２に示すように、円周方向に１６等分された円環状の反射電子検出器を用い、試料の上方に配置した（図１参照）。反射電子検出器には、回折パターンが形成されているものとして、所定時間に検出された反射電子の強度を各検出領域で積分して、各検出領域の信号強度とした。
【００５４】
図３および図４は、シミュレーションの結果を示す図である。図３は、試料をある方位の結晶としたときの各検出領域の信号強度を示している。図４は、同じ試料で結晶の方位を変えた時の各検出領域の信号強度を示している。図３および図４では、明るい領域は信号量が多く、暗い領域は信号量が少ないことを示している。シミュレーションの結果、試料の結晶方位によって各検出領域の信号強度が異なることがわかった。
【００５５】
１．２．２．  実施例
次に、図２に示すように、円周方向に１６等分された円環状の反射電子検出器を用意して走査電子顕微鏡に搭載し、試料の結晶方位によって分割型検出器の各検出領域の信号強度が異なるか調べた。
【００５６】
図５は、分割型検出器における信号強度の分布を示す図である。扇型の領域は、検出領域を示しており、扇形の明るさは信号強度を示している。具体的には、明るい検出領域は信号量が多く、暗い検出領域は信号量が少ないことを示している。
【００５７】
分割型検出器における信号強度の分布を見ていくと、同一結晶粒内では信号強度の分布が似ており、結晶方位が異なる結晶粒では信号強度の分布が大きく異なっている。また、離れた結晶粒同士でも同一の結晶方位の結晶粒では、信号強度の分布が類似している。
【００５８】
このことから分割型検出器における信号強度の分布から、結晶粒の結晶方位の解析が可能であることがわかった。
【００５９】
１．３．  処理
次に、電子顕微鏡１００の処理部３０の処理について説明する。
【００６０】
１．３．１．  検出信号の取得
まず、処理部３０において検出信号を取得する処理について説明する。
【００６１】
処理部３０には、信号取得部１６で取得されたｎ個の検出領域９から出力された第１〜第ｎ検出信号が、走査信号で特定される試料Ｓに対する電子線の入射位置の情報とともに入力される。
【００６２】
試料Ｓに対する電子線の入射位置をｘ，ｙ、電子検出器８の検出領域９の数をｎとして検出領域ｚ＝１，２，・・・，ｎとし、ｘ，ｙ，ｚにおける検出信号の信号強度を３次元の配列ｓ（ｘ，ｙ，ｚ）とする。以下、この配列ｓ（ｘ，ｙ，ｚ）を信号強度配列という。信号強度配列ｓ（ｘ、ｙ、ｚ）は、記憶部２４に記憶される。
【００６３】
このようにして取得した信号強度配列ｓ（ｘ，ｙ，ｚ）に基づいて、画像（走査像）を生成することができる。
【００６４】
例えば、電子線の入射位置と、その入射位置における各検出領域９の検出信号の強度の和を用いて画像を作成すれば、反射電子を検出して得られる走査像、すなわち、反射電子像と同様の画像が得られる。この画像は、画像の配列をｉ（ｘ，ｙ）とすると、次式で表すことができる。
【００６５】
【数１】
2019121588.tif 000003
【００６６】
また、次式で示すように、単一の検出領域９の検出信号の強度を用いて画像を生成してもよい。
【００６７】
【数２】
2019121588.tif 000004
【００６８】
また、複数の検出領域９の検出信号に対して、加算、あるいは減算などの信号処理を行って画像を生成してもよい。これらの画像を生成する処理は、画像生成部３４で行われる。
【００６９】
１．３．２．  強度パターンの生成方法
次に、強度パターンを生成する方法について説明する。強度パターンは、強度パターン情報生成部３２で生成される。
【００７０】
第１〜第ｎ検出信号の強度（以下単に「信号強度」ともいう）は、同じ結晶方位では同様の信号強度となる。そのため、試料Ｓ上の任意の位置（以下「基準位置」ともいう）の信号強度を基準として、試料Ｓ上の他の位置（以下「解析位置」ともいう）の信号強度と比較することで、基準位置の結晶方位と解析位置の結晶方位とが同じか否かを判断できる。
【００７１】
基準位置の信号強度と解析位置の信号強度からそれぞれ強度パターンを生成し、これら２つのパターンを比較することで、結晶性の評価を行う。以下、その手法について説明する。
【００７２】
まず、信号強度を強度パターンに変換する方法の一例を説明する。
【００７３】
検出領域９の数をｎとすると、ある入射位置ｘ，ｙでの第１〜第ｎ検出信号の強度は、信号強度配列ｓを用いて表すと、ｄ１＝ｓ（ｘ，ｙ，１）、ｄ２＝ｓ（ｘ，ｙ，２）、・・・、ｄｎ＝ｓ（ｘ，ｙ，ｎ）となる。
【００７４】
図６は、第１〜第ｎ検出信号の強度を示すグラフである。なお、図６では、ｎ＝１６である。
【００７５】
ｄ１，ｄ２，・・・，ｄｎのなかから最も値が小さいものをｄｍｉｎとした場合、強度パターンａは、次式で求められる。
【００７６】
ａ＝（ｄ１／ｄｍｉｎ，ｄ２／ｄｍｉｎ，・・・，ｄｎ／ｄｍｉｎ）
【００７７】
このように、第１〜第ｎ検出信号の強度を、最も値の小さい検出信号の強度で規格化する。これにより、第１〜第ｎ検出信号の強度を得ることができる。この信号強度から、上記の行列で表される強度パターンａ（強度パターン情報の一例）が得られる。
【００７８】
図７は、図６に示す第１〜第ｎ検出信号の強度に基づき生成された強度パターンをレーダーチャートで示した図である。
【００７９】
図７は、第１〜第ｎ検出信号の強度軸の原点を１つにまとめて放射状にし、第１〜第ｎ検出信号の強度軸に、規格化された第１〜第ｎ検出信号の強度をプロットし、隣同士の点を直線で結んで形成された図形である。
【００８０】
生成された強度パターンは、電子線の入射位置に対応づけられた走査像の画素ごとに記憶部２４に記憶される。
【００８１】
次に、強度パターンの生成方法の変形例について説明する。
【００８２】
上記では、第１〜第ｎ検出信号を最小値ｄｍｉｎで規格化して強度パターンを生成したが、強度パターンの生成方法はこれに限定されない。
【００８３】
例えば、ｄ１，ｄ２，・・・，ｄｎから最も値が小さいものをｄｍｉｎとし、最も値が大きいものをｄｍａｘとした場合に、強度パターンａを、次式で求めてもよい。
【００８４】
ａ＝（（ｄ１−ｄｍｉｎ）／（ｄｍａｘ−ｄｍｉｎ），（ｄ２−ｄｍｉｎ）／（ｄｍａｘ−ｄｍｉｎ），・・・，（ｄｎ−ｄｍｉｎ）／（ｄｍａｘ−ｄｍｉｎ））
【００８５】
ここで、電子線の電流量が少ない条件では、検出信号のＳＮ比（Signal to Noise Ratio）が悪くなってしまい、後述するパターン解析（パターン認識とも呼ばれる）の精度が低下してしまう。そこで、解析位置の周辺の強度パターンを平均して求めた行列を強度パターンとして利用してもよい。これにより、パターン解析の精度を向上できる。このように、強度パターンを生成する際に、パターン解析の精度を向上させるための処理を行ってもよい。
【００８６】
例えば、上記の例では、検出器の数ｎと、強度パターンａを表す行例の大きさは一致していたが、次式のように、検出器の数ｎと、強度パターンａを表す行列の大きさは一致していなくてもよい。
【００８７】
【数３】
2019121588.tif 000005
【００８８】
例えば、強度パターンの要素として、第１〜第ｎ検出信号の強度の平均を加えてもよい。この場合、検出器の数ｎに対して第１〜第ｎ検出信号の強度を使って生成したパターンに加えて第１〜第ｎ検出信号の強度の平均が加わるので、得られる強度パターンの要素数はｎ＋１になる。
【００８９】
ここで、例えば、図２に示すように、円環状の検出面を持つ分割型検出器では、試料面が検出面に対して平行でない場合、信号強度は、この試料面の傾きの影響を受け、パターン解析に影響してしまう。そこで、隣り合う検出領域９の検出信号の強度の差をとって強
度パターンを生成すると、例えば、次式のように、試料面の傾きによる信号強度の差に比べて、回折による結晶方位による信号強度の差が強調されるので、パターン解析の精度が向上する。
【００９０】
ａ＝（（ｄ１−ｄｎ）／ｄｍｉｎ，（ｄ２−ｄ１）／ｄｍｉｎ，・・・，（ｄｎ−ｄｎ−１）／ｄｍｉｎ）
【００９１】
また、例えば、電子線のドース量が少ないと統計誤差により強度パターンにノイズが入り正しくパターン解析できない場合がある。そのため、電子線の入射位置の周囲の信号強度を平均して強度パターンを生成してもよい。これにより、統計量を増やしてノイズを減らすことができるため、パターン解析の精度を向上できる。
【００９２】
１．３．３．  強度パターンの比較
次に、生成された強度パターンを、基準となる強度パターンと比較して、パターンの類似性を評価する方法について説明する。この処理は、パターン解析部３３で行われる。
【００９３】
図８は、強度パターンを取得した位置を示す図である。図９は、図８の点ｐ１で得られた強度パターンａと、図８の点ｐ２で得られた強度パターンｂと、を比較した図である。なお、図９では、強度パターンａを実線で示し、強度パターンｂを破線で示している。図１０は、図８の点ｐ１で得られた強度パターンａと、図８の点ｐ３で得られた強度パターンｃと、を比較した図である。なお、図１０では、強度パターンａを実線で示し、強度パターンｃを破線で示している。
【００９４】
図９において強度パターンａと強度パターンｂとは類似しているので、点ｐ１の結晶方位と点ｐ２の結晶方位とは同じであるといえる。これに対して、図１０において、強度パターンａと強度パターンｃとは類似していないので、点ｐ１の結晶方位と点ｐ３の結晶方位とは異なっているといえる。
【００９５】
図９および図１０に示すように、２つの強度パターンを重ねて目視で確認すればパターンの類似性がわかりやすい。しかしながら、結晶性の評価を行うために生成したすべての強度パターンに対して、目視での確認を行うことは困難である。そのため、パターン解析部３３では、数学的にパターンを比較する。
【００９６】
ここでは、パターン解析の方法として、ユークリッド距離を用いた場合について説明する。パターン解析の方法は、これに限定されず、その他の公知のパターン解析の方法（例えば、最近傍決定則（nearest neighbor rule）を用いた方法）も適用可能である。
【００９７】
まず、基準となる強度パターン（以下「基準強度パターン」ともいう）を決定する。基準強度パターンは、例えば、生成された強度パターンのなかから選択された強度パターンである。すなわち、基準強度パターンとして、走査像を構成する複数の画素に対応して生成された複数の強度パターンのうちの１つの強度パターンを用いる。
【００９８】
例えば、基準強度パターンは、走査像の中心に位置する画素における強度パターンであってもよい。また、基準強度パターンは、走査像の任意の画素における強度パターンであってもよい。
【００９９】
解析対象となる画素の強度パターン（以下、「解析強度パターン」ともいう）をａとし、基準強度パターンをｂとしたときに、基準強度パターンｂと解析強度パターンａのユークリッド距離Ｄを求めることでパターンの類似性を判断することができる。
【０１００】
ユークリッド距離Ｄは、次式（１）で求められる。
【０１０１】
【数４】
2019121588.tif 000006
【０１０２】
ここで、ａｉは解析強度パターンａの要素であり、ｂｉは基準強度パターンｂの要素である。ｎは強度パターンの要素数である。ここでのｎは検出領域９の数と同じであるが、必ずしも同じであるとは限らない。ユークリッド距離Ｄが小さいほど解析強度パターンａと基準強度パターンｂが類似しているといえる。ノイズなどによるパターンのばらつきを考慮して、解析対象となる画素において、基準強度パターンｂとのユークリッド距離Ｄが所定値以下であれば、解析対象となる画素は、基準強度パターンの結晶方位と同じであると判断する。
【０１０３】
１．３．４．  画像の生成
次に、画像の生成方法について説明する。画像を生成する処理は、画像生成部３４で行われる。
【０１０４】
（１）パターン解析画像の生成
まず、パターン解析の結果を反映した画像（以下「パターン解析画像」ともいう）を生成する方法について説明する。
【０１０５】
以下では、走査像の任意の画素を（ｘ，ｙ）とし、その画素における強度パターンをａｘ，ｙとし、パターン解析部３３で得られた解析結果をユークリッド距離Ｄｘ，ｙとする。ここでは基準強度パターンと解析強度パターンａｘ，ｙのユークリッド距離がＤｘ，ｙとなる。
【０１０６】
観察視野中に、結晶方位ｃｄ１と結晶方位ｃｄ２の領域があった場合、結晶方位ｃｄ１の強度パターンを基準強度パターンｂとし、結晶方位ｃｄ２の領域に含まれる複数の画素において、基準強度パターンｂとのユークリッド距離Ｄｘ，ｙを求める。これらの画素は、同じ結晶方位ｃｄ２の領域に含まれるため、ユークリッド距離Ｄｘ，ｙは、近い値になる。例えば複数の画素を（ｘ１，ｙ１）と、（ｘ２，ｙ２）としたときにそれぞれの画素における強度パターンはａｘ１，ｙ１、ａｘ２，ｙ２になる。（ｘ１，ｙ１）と、（ｘ２，ｙ２）は同じ結晶方位内の点なのでａｘ１，ｙ１とａｘ２，ｙ２の強度パターンは似ている。そのため、それぞれの強度パターンと基準強度パターンｂのユークリッド距離Ｄｘ１，ｙ１とユークリッド距離Ｄｘ２，ｙ２も近い値になる。
【０１０７】
したがって、観察視野中の任意の点（例えば視野の中心）の強度パターンを基準強度パターンｂとし、走査像を構成する各画素において、基準強度パターンｂとのユークリッド距離Ｄｘ，ｙを求める。そして、各画素におけるユークリッド距離Ｄｘ，ｙの大きさを明るさに対応させて画像を生成すると、結晶方位の異なる結晶粒が異なる明るさで表示される画像（パターン解析画像）になる。
【０１０８】
図１１は、視野中心の画素における強度パターンを基準強度パターンｂとした場合のパターン解析画像である。図１２は、矢印で示す画素における強度パターンを基準強度パターンｂとした場合のパターン解析画像である。
【０１０９】
図１１および図１２に示すように、基準強度パターンｂが異なると、得られるパターン解析画像が異なる。図示の例では、基準強度パターンｂと解析強度パターンａが類似する
場合（すなわちユークリッド距離Ｄｘ，ｙが小さい場合）その画素は暗く、基準強度パターンｂと解析強度パターンａが類似しない場合（すなわちユークリッド距離Ｄｘ，ｙが大きい場合）その画素は明るくなる。しかしながら、この手法では、明るい画素同士が必ずしも近い強度パターンであるとは限らない。
【０１１０】
そこで、基準強度パターンを複数用意して、複数の基準強度パターンのそれぞれについてユークリッド距離Ｄｘ，ｙを求めることでより正確なパターン解析を行うことができる。
【０１１１】
例えば、まず、任意の画素における強度パターンを基準強度パターンｂ１とし、走査像を構成する各画素において、基準強度パターンｂ１とのユークリッド距離Ｄ１ｘ，ｙを求める。
【０１１２】
次に、走査像を構成する複数の画素のなかから、ユークリッド距離Ｄ１ｘ，ｙが最大となる画素を選択し、当該画素における強度パターンを新たな基準強度パターンｂ２とする。そして、走査像を構成する各画素において、基準強度パターンｂ２とのユークリッド距離Ｄ２ｘ，ｙを求める。
【０１１３】
次に、走査像を構成する複数の画素のなかから、ユークリッド距離Ｄ１ｘ，ｙとユークリッド距離Ｄ２ｘ，ｙの和が最大となる画素を選択し、当該画素における強度パターンを新たな基準強度パターンｂ３とする。そして、走査像を構成する各画素において、基準強度パターンｂ３とのユークリッド距離Ｄ３ｘ，ｙを求める。
【０１１４】
次に、走査像を構成する各画素の明るさを、ユークリッド距離Ｄ１ｘ，ｙの大きさに対応させて第１走査像を形成する。このとき、第１走査像には赤色を割り当てる。同様に、走査像を構成する各画素の明るさを、ユークリッド距離Ｄ２ｘ，ｙの大きさに対応させて第２走査像を形成する。このとき、第２走査像には緑色を割り当てる。同様に、走査像を構成する各画素の明るさを、ユークリッド距離Ｄ３ｘ，ｙの大きさに対応させて第３走査像を形成する。このとき、第３走査像には青色を割り当てる。
【０１１５】
次に、第１走査像、第２走査像、および第３走査像を重ね合わせて、１つの画像とする。これにより、３つの基準強度パターンｂ１，ｂ２，ｂ３を用いて生成された試料Ｓのパターン解析画像が得られる。
【０１１６】
図１３は、基準強度パターンを３つ用いて生成された試料Ｓのパターン解析画像である。
【０１１７】
図１３に示すように、基準強度パターンを３つ用いて生成されたパターン解析画像は、パターンの類似性が高い画素が近い色となる。すなわち、図１３において同じ色で表される画素は、同じ結晶方位を持つことを示している。図１３では、３つの基準強度パターンを用いているため、例えば、１つの基準強度パターンを用いる場合と比べて、結晶方位の違いをより正確に画像に反映できる。
【０１１８】
図１４は、試料Ｓの反射電子像である。なお、図１３に示すパターン解析画像と図１４に示す反射電子像は、同じ視野である。
【０１１９】
図１４に示すように、反射電子像でも、チャネリングコントラストによって結晶粒が判別できるが、コントラストが近い結晶粒が隣接していると境界がわかりにくい。これに対して、図１３に示すパターン解析画像では、反射電子像に比べて、結晶粒の境界が明確である。
【０１２０】
なお、ここでは、基準強度パターンを３つ用いてパターン解析画像を生成する場合について説明したが、パターン解析画像を生成するために用いられる基準強度パターンの数は特に限定されない。また、基準強度パターンの選択方法も上記の例に限定されない。
【０１２１】
（２）結晶粒界画像の生成
次に、結晶粒界が抽出された画像（以下「結晶粒界画像」ともいう）を生成する方法について説明する。
【０１２２】
任意の画素（ｘ，ｙ）における強度パターンを基準強度パターンとし、その周りの画素において、基準強度パターンとのユークリッド距離を求めてその合計を算出する。画素（ｘ，ｙ）の周りの画素に異なる結晶方位があると、ユークリッド距離の合計は大きくなる。そのため、ユークリッド距離の合計から粒界の有無を判別できる。以下、結晶粒界画像の生成方法について、より具体的に説明する。
【０１２３】
走査像において、基準となる画素を基準画素（ｘ，ｙ）とし、その基準画素における強度パターンを基準強度パターンとする。そして、基準画素（ｘ，ｙ）の周囲の画素（ｘ，ｙ−１）、（ｘ−１，ｙ）、（ｘ＋１，ｙ）、（ｘ、ｙ＋１）について、ユークリッド距離を求める。
【０１２４】
ここでは、ｘの範囲を０〜ｘｍａｘとし、ｙの範囲を０〜ｙｍａｘとする。なお、基準画素（０，０）の場合、周囲の画素が（０，−１）、（−１，０）、（１，０）、（０，１）となり、上記の範囲外となるため、基準画素は、周囲の画素が上記の範囲内となるように設定する。
【０１２５】
最初に、基準画素（１，１）として、その周囲の画素（１，０）、（０，１）、（２，１）、（１，２）について、それぞれユークリッド距離を算出し、これらの合計Ｄｂ１，１を求める。
【０１２６】
具体的には、まず、基準画素（１，１）における強度パターンと画素（１，０）における強度パターンのユークリッド距離を算出する。同様に、基準画素（１，１）における強度パターンと画素（０，１）における強度パターンのユークリッド距離、基準画素（１，１）における強度パターンと画素（２，１）における強度パターンのユークリッド距離、基準画素（１，１）における強度パターンと画素（１，２）における強度パターンのユークリッド距離を算出する。そして、算出された４つのユークリッド距離の合計Ｄｂ１，１を求める。
【０１２７】
同様に、基準画素（２，１）とし、周囲の画素（２，０）、（１，１）、（３，１）、（２，２）について、それぞれユークリッド距離を算出し、これらの合計Ｄｂ２，１を求める。この処理を、周囲の画素とのユークリッド距離が計算可能な走査像の全ての画素について行う。
【０１２８】
このように、周囲の画素とのユークリッド距離が計算可能な走査像の全ての画素について、基準画素となる画素を変更しながら、その周囲の画素においてそれぞれユークリッド距離を算出し、その合計を求める処理を行う。これにより、合計Ｄｂ１，１、合計Ｄｂ２，１、・・・、合計Ｄｂｘｍａｘ−１，ｙｍａｘ−１が求められる。
【０１２９】
次に、合計Ｄｂ１，１、合計Ｄｂ２，１、・・・、合計Ｄｂｘｍａｘ−１，ｙｍａｘ−１を用いて、画像を生成する。例えば、合計Ｄｂ１，１、合計Ｄｂ２，１、・・・、合計Ｄｂｘｍａｘ−１，ｙｍａｘ−１のなかから、最大値と最小値を求め、最大値を白、最小
値を黒となるように画像の明るさをグレースケールで表し画像とする。この結果、結晶粒界が強調された結晶粒界画像が得られる。
【０１３０】
図１５は、試料Ｓの結晶粒界画像である。図１５に示すように、結晶粒界画像では、結晶粒界が白く強調されて表示される。
【０１３１】
なお、結晶粒界画像の生成方法は、上記の手法に限定されない。例えば、合計Ｄｂ１，１、合計Ｄｂ２，１、・・・、合計Ｄｂｘｍａｘ−１，ｙｍａｘ−１について、その値が所定値以上であれば白、所定値未満であれば黒として２値画像を生成することで、結晶粒界画像を生成してもよい。
【０１３２】
また、上記では、基準画素（ｘ，ｙ）の上下左右の画素において、ユークリッド距離を算出する場合について説明したが、ユークリッド距離を算出する対象となる周囲の画素の範囲を、さらに広げてもよい。例えば、粒界が大きい場合は、ユークリッド距離を算出する対象となる周囲の画素を、基準画素から離れた画素としてもよい。
【０１３３】
また、検出信号のノイズが大きい場合には、ノイズの影響を受けてユークリッド距離が大きくなり粒界と誤認識される場合がある。そのため、基準画素における強度パターンとその周囲の画素における強度パターンとの平均を、基準強度パターンとしてもよい。これにより、ノイズの影響を低減できる。
【０１３４】
また、結晶粒界画像をリアルタイムで観察したい場合には、電子プローブを走査しながら信号強度配列ｓ（ｘ，ｙ，ｚ）を取得する。そして、電子線の入射位置に対応する画素を、基準画素（ｘ，ｙ）とし、すでに電子線が通過した領域に対応する画素（ｘ，ｙ−１）、（ｘ−１，ｙ）について、ユークリッド距離を算出し、その合計を求めて、結晶粒界画像を生成してもよい。このように、周囲の画素の取り方は、特に限定されない。
【０１３５】
（３）結晶粒の大きさの測定
なお、走査像を構成する画素ごとに記憶された強度パターンを用いて、結晶粒の大きさを測定することができる。結晶粒の大きさを測定する処理は、画像生成部３４で行われる。
【０１３６】
例えば、ユーザーが結晶粒の大きさを知りたいときに、走査像において結晶粒が含まれる任意の画素を基準画素として指定すれば、走査像を構成する他の画素において、基準画素における強度パターン（基準強度パターン）とのユークリッド距離を求めることで、結晶粒の大きさを測定できる。以下、その方法について説明する。
【０１３７】
ユーザーが指定した画素における強度パターンを基準強度パターンとし、走査像のすべての画素において、ユークリッド距離Ｄｘ，ｙを求める。ユークリッド距離Ｄｘ，ｙが所定値以下である画素（ｘ，ｙ）は同一方位であるが、結晶粒としては別のものである可能性がある。そのため、画素（ｘ，ｙ）を含みユークリッド距離Ｄｘ，ｙが所定値以下になるような領域を抽出する。抽出された領域の画素数を求め、スキャン幅から１画素当たりの面積を計算する。そして、画素数と１画素当たりの面積の積から指定された結晶粒の面積を求める。
【０１３８】
１．４．  処理の流れ
次に、第１実施形態に係る電子顕微鏡１００の処理部３０の処理の流れについて説明する。図１６は、第１実施形態に係る電子顕微鏡１００の処理部３０の処理の流れの一例を示すフローチャートである。
【０１３９】
電子顕微鏡１００では、電子プローブで試料Ｓを走査し、電子線の入射位置からの反射電子を複数の検出領域９で検出して、入射位置ごとに（すなわち、走査像を構成する画素ごとに）、ｎ個の検出領域９から出力された第１〜第ｎ検出信号を取得する。
【０１４０】
処理部３０には、信号取得部１６で取得された第１〜第ｎ検出信号が、走査信号で特定される試料Ｓに対する電子線の入射位置の情報とともに入力される。
【０１４１】
強度パターン情報生成部３２は、第１〜第ｎ検出信号の強度に基づく強度パターンを生成する（Ｓ１００）。
【０１４２】
具体的には、強度パターン情報生成部３２は、第１〜第ｎ検出信号の強度ｄ１，ｄ２，・・・，ｄｎを取得し、第１〜第ｎ検出信号の強度ｄ１，ｄ２，・・・，ｄｎを規格化して、第１〜第ｎ検出信号の強度に基づく強度パターンａ＝（ｄ１／ｄｍｉｎ，ｄ２／ｄｍｉｎ，・・・，ｄｎ／ｄｍｉｎ）を生成する。
【０１４３】
強度パターン情報生成部３２は、電子線の入射位置ごとに（すなわち走査像を構成する画素ごとに）、上記の処理を行って強度パターンを生成する。強度パターン情報生成部３２は、生成された強度パターンを電子線の入射位置に関連づけて記憶部２４に記憶させる。すなわち、記憶部２４には、走査像を構成する複数の画素の各々に対応して、強度パターンａが記憶される。
【０１４４】
次に、パターン解析部３３は、記憶部２４に記憶された強度パターンａに基づいて、電子線の入射位置ごとにパターン解析情報を生成する（Ｓ１０２）。
【０１４５】
例えば、パターン解析画像を生成する場合、パターン解析部３３は、走査像を構成する画素ごとに、基準となる基準強度パターンとのユークリッド距離を求める。このユークリッド距離をパターン解析情報とする。
【０１４６】
また、例えば、結晶粒界画像を生成する場合、パターン解析部３３は、周囲の画素とのユークリッド距離が計算可能な走査像の全ての画素について、基準画素となる画素を変更しながら、その周囲の画素についてそれぞれユークリッド距離を算出し、その合計を求める処理を行う。この合計をパターン解析情報とする。
【０１４７】
次に、画像生成部３４は、パターン解析部３３で生成されたパターン解析情報に基づいて、画像を生成する（Ｓ１０４）。
【０１４８】
例えば、パターン解析画像を生成する場合、画像生成部３４は、ユークリッド距離に応じて画素の明るさを設定し、パターン解析画像を生成する。
【０１４９】
また、例えば、結晶粒界画像を生成する場合、画像生成部３４は、パターン解析部３３における解析で得られたユークリッド距離の合計値に応じて、画素の明るさを設定し、結晶粒界画像を生成する。
【０１５０】
画像生成部３４は、生成した画像を表示部２２に表示させる制御を行う（Ｓ１０６）。
【０１５１】
１．５．  特徴
電子顕微鏡１００は、例えば、以下の特徴を有する。
【０１５２】
電子顕微鏡１００は、試料Ｓに電子線が照射されることによって試料Ｓで回折された電子を検出する複数の検出領域９を備えた電子検出器８と、複数の検出領域９から出力され
た第１〜第ｎ検出信号の強度に基づく強度パターンを生成する強度パターン情報生成部３２と、を含む。電子顕微鏡１００では、第１〜第ｎ検出信号の強度に基づいて、強度パターンを生成することができるため、例えば、ＥＢＳＤ法による測定を行うための専用の検出器や、ＥＣＰ法による測定を行うための特殊な照射系が不要であり、容易に、試料Ｓの結晶性の情報を得ることができる。
【０１５３】
さらに、電子顕微鏡１００では、複数の検出領域９を備えた電子検出器８によって反射電子を検出することで測定が可能であるため、例えばＥＢＳＤ法やＥＣＰ法による測定に比べて、短時間で測定が可能である。
【０１５４】
例えば、反射電子像を取得することで結晶粒の大きさを評価する場合には、異なる結晶粒も同じ明るさで表示されることがあるので結晶粒の大きさを正確に評価できない。これに対して、電子顕微鏡１００では、強度パターンから画像を生成するため、このような問題が生じない。そのため、電子顕微鏡１００では、反射電子像に比べて正確に結晶粒の大きさの評価が可能な画像（パターン解析画像、結晶粒界画像）を得ることができる。
【０１５５】
電子顕微鏡１００では、電子プローブで試料Ｓ上を走査するための走査偏向器５と、試料Ｓに対する電子線の入射位置に関連づけられた強度パターンを解析するパターン解析部３３と、パターン解析部３３での強度パターンの解析結果に基づいて、画像を生成する画像生成部３４と、を含む。そのため、電子顕微鏡１００では、試料Ｓの結晶方位が反映されたパターン解析画像や、結晶粒界が抽出された結晶粒界画像を得ることができる。したがって、電子顕微鏡１００では、試料Ｓの結晶性の情報を、容易に短時間で得ることができる。
【０１５６】
電子顕微鏡１００では、パターン解析部３３は試料Ｓに対する電子線の入射位置に関連づけられた強度パターンに基づいて、基準強度パターン情報を取得する。そのため、電子顕微鏡１００では、例えば、注目する結晶粒の強度パターンを基準強度パターンとしてパターン解析画像を生成することによって、注目する結晶粒と他の結晶粒との結晶方位の違いを可視化することができる。
【０１５７】
電子顕微鏡１００では、パターン解析部３３は基準となる基準強度パターンと生成された強度パターンを比較し、画像生成部３４は試料Ｓの結晶粒界が抽出された結晶粒界画像を生成する。そのため、電子顕微鏡１００では、試料Ｓの結晶粒界画像を、容易に、短時間で得ることができる。
【０１５８】
電子顕微鏡１００では、試料Ｓで回折された電子を、複数の検出領域９を有する分割型検出器（電子検出器８）で検出する。そのため、電子顕微鏡１００では、例えばＥＢＳＤ法やＥＣＰ法による測定に比べて、短時間で測定が可能である。
【０１５９】
電子顕微鏡１００では、強度パターン情報生成部３２は、複数の検出領域９から出力された複数の検出信号の強度を規格化して、強度パターンを生成する。そのため、電子顕微鏡１００では、容易に、結晶性の情報を得ることができる。
【０１６０】
２．  第２実施形態
２．１．  電子顕微鏡
次に、第２実施形態に係る電子顕微鏡について図面を参照しながら説明する。図１７は、第２実施形態に係る電子顕微鏡２００の構成を示す図である。以下、第２実施形態に係る電子顕微鏡２００において、第１実施形態に係る電子顕微鏡１００の構成部材と同様の機能を有する部材については同一の符号を付し、その詳細な説明を省略する。
【０１６１】
電子顕微鏡２００では、図１７に示すように、記憶部２４には、結晶方位ごとに、基準強度パターンが登録されたデータベース２６が記憶されている。
【０１６２】
上述したように、結晶方位が同じであれば、強度パターンも同じになる。そのため、結晶方位が既知の試料の強度パターンを基準強度パターンとして用いて、解析位置の解析強度パターンを基準強度パターンと比較することによって、解析位置の結晶方位が、基準強度パターンの結晶方位と同じか否かの判断が可能である。
【０１６３】
そのため、試料の組成および試料の結晶方位ごとに、基準強度パターンが登録されたデータベース２６を用意し、あらかじめ記憶部２４に記憶させる。データベース２６に登録される基準強度パターンは、あらかじめＥＢＳＤ法やＥＣＰ法などによって結晶方位を測定した試料を用いて強度パターンを取得することで得ることができる。
【０１６４】
データベース２６には、強度パターンを測定したときの測定条件も登録する。これは、同じ試料の同じ結晶方位でも測定条件によって回折電子の強度分布が変わる場合があるためである。そのため、解析対象となる試料Ｓの強度パターンを取得する際には、データベース２６に登録された測定条件と同じ測定条件で測定を行うことが好ましい。
【０１６５】
データベース２６に登録される測定条件は、強度パターンの形成に影響する、加速電圧、作動距離、電子線の入射角などの条件である。必要に応じて複数の測定条件およびその測定条件での強度パターンがデータベース２６に登録されていてもよい。
【０１６６】
また、シミュレーションによって、所望の結晶方位の強度パターンを得て、基準強度パターンとしてデータベース２６に登録してもよい。
【０１６７】
また、解析対象となる試料Ｓの測定の前に、データベース２６が記憶部２４に記憶されていなくてもよい。試料Ｓの測定条件等からシミュレーション計算して様々な結晶方位の強度パターンを得て、当該強度パターンを基準強度パターンとしてもよい。
【０１６８】
なお、本実施形態において、検出領域の数や、測定条件、試料の結晶性などによっては、異なる結晶方位であっても強度パターンが類似している（すなわちユークリッド距離が小さい）場合もある。そのため、解析強度パターンが、複数の基準強度パターンに類似すると判断された場合には、当該画素について結晶方位の候補が複数あることをユーザーに通知する処理を行ってもよい。
【０１６９】
なお、上記では、電子検出器８と結晶方位の回転とに関する説明を省略したが、実際の解析では、解析位置と基準位置とで試料Ｓの法線方向から観測した結晶方位が一致していても、試料面で結晶方位が回転していれば、解析強度パターンと基準強度パターンとは一致しない。
【０１７０】
図１８は、同じ結晶方位であって、かつ、結晶方位の回転角が異なる場合に、基準強度パターンｂと解析強度パターンａを比較した図である。図１９は、図１８に示す基準強度パターンｂを１１２．５°回転させて、解析強度パターンａと比較した図である。なお、図１８および図１９では、基準強度パターンｂを破線で示し、解析強度パターンａを実線で示している。
【０１７１】
図１８では、基準強度パターンｂと解析強度パターンａとは、異なるように見える。しかし、図１９に示すように、基準強度パターンｂを回転させると、基準強度パターンｂと解析強度パターンａとは一致する。そのため、結晶方位を特定する際には、結晶方位の回転も考慮する必要がある。以下、結晶方位の回転を考慮した解析方法について説明する。
【０１７２】
結晶方位の回転を考慮するにあたり、試料Ｓが回転しても同様の強度パターンを取得できる必要があるため、複数の検出領域９は光軸ＯＡを中心に回転対称に配置される。光軸ＯＡに沿って電子線が進行するため、図２に示すように、電子検出器８は、検出面が中心に貫通孔の空いた円形である。なお、例えば、電子検出器８の検出面を、多角形を円周方向に等分割した形状としてもよい。また、複数の検出領域９を有する電子検出器８として、単一検出領域を有した検出器を複数用意し、それらが回転対称になるように配置してもよい。
【０１７３】
また、検出信号を増幅する場合、それぞれの増幅率は一致させる。同様に、検出信号間でゼロ点がずれている場合は、ゼロ点を一致させる。
【０１７４】
ここで、回転対称な検出面を回転させて、元の検出面と一致する最小の角度をφｄとし、基準強度パターンｂと解析強度パターンａとの角度のずれをφｐとする。ｍ＝φｐ／φｄとし、ｍが整数、あるいは整数に近い値の場合（例えばφｄ≒φｐなど）は、基準強度パターンと解析強度パターンは回転しているので、パターン解析する際にパターンの回転を考慮する。
【０１７５】
例えば、強度パターンの回転を考慮すると、ユークリッド距離Ｄは次式（２）で求めることができる。
【０１７６】
【数５】
2019121588.tif 000007
【０１７７】
ｒはｉ＋ｊ≦ｎのときに、ｒ＝ｉ＋ｊ、ｉ＋ｊ＞ｎのときにｒ＝ｉ＋ｊ−ｎとなり、ｊを１〜ｎに変化させると強度パターンが回転するので、回転を考慮したパターン解析ができる。ここでは、解析強度パターンを回転されているが、基準強度パターンを回転させてもよい。例えば、パターン解析部３３は、はじめｊ＝１に取り、ユークリッド距離Ｄを演算して、Ｄの値が所定値を越えていた場合、ｊを１増やし、再びユークリッド距離Ｄを計算する。この計算をｊ＝１６まで続ける。パターン解析部３３は、ｊを１から１６までの間で変化させて、ユークリッド距離Ｄの値が所定値以下あれば、計算を終了させて、解析対象となる画素は、基準強度パターンの結晶方位と同じであると判断し、所定値以下にならなかった場合には、１≦ｊ≦１６の範囲におけるユークリッド距離Ｄの最小値を用いてパターンの類似性を評価する。
【０１７８】
ｍが小数になる場合、例えば、φｄ＞φｐでは、解析強度パターンを回転させても、基準強度パターンと一致しない可能性がある。これは、特に、検出領域９の数が少ない場合に起こりうる。例えば、結晶方位１００の試料Ｓに電子線を垂直入射し、試料Ｓ上方の電子検出器８に入射する回折電子の回転方向の強度分布は、４回対称になる。仮に、検出領域９の数が１６個の電子検出器８でこの強度分布を取得すると、ある向きでは、図２０に示すような結果が得られる。検出領域９の数が１６個の電子検出器８では、φｄは２２．５°であるため、１１．２５°回転させたときの回折電子の強度分布を取得すると図２１に示すような結果となる。
【０１７９】
これは、検出信号を回転方向で積分したような形になるので、回折電子の回転方向の強度分布の振幅より検出領域９の角度幅が大きいと検出する強度分布の範囲によって信号量
が大きく変わってしまうためである。
【０１８０】
このような場合は、基準強度パターンとして、試料Ｓの複数の回転角の強度パターンをデータベース２６に登録しておけばよい。
【０１８１】
例えば検出領域９の数が１６個の電子検出器８で基準強度パターンを取得する際には、試料Ｓの回転角が０°の時の強度パターンを基準強度パターンＡ、試料Ｓの回転角が１１．２５°のときの強度パターンを基準強度パターンＢ、試料Ｓの回転角が５．６２５°のときの強度パターンを基準強度パターンＣ、試料Ｓの回転角が１６．８７５°のときの強度パターンを基準強度パターンＤとして、データベース２６に登録する。解析位置の強度パターンが基準強度パターンＡ，Ｂ，Ｃ，Ｄのいずれかと一致すれば、解析位置の結晶方位は、基準強度パターンＡ，Ｂ，Ｃ，Ｄの結晶方位と一致する。
【０１８２】
このように、同一の結晶方位について、回転角の異なる複数の基準強度パターンをデータベース２６に登録することで、結晶方位の回転角が異なる場合でも、結晶方位の特定が可能である。
【０１８３】
また、上記では、電子プローブで試料Ｓを走査しながら、強度パターンを生成して結晶方位の解析を行ったが、電子プローブでの走査を行う必要はなく、試料Ｓ上の一点に電子線を入射して、強度パターンを生成して結晶方位の解析を行ってもよい。
【０１８４】
２．２．  処理
次に、電子顕微鏡２００の処理部３０の処理について説明する。
【０１８５】
上述した電子顕微鏡１００の処理部３０の処理では、基準強度パターンとして走査像の任意の画素における強度パターンを用いたが、電子顕微鏡２００の処理部３０の処理では、基準強度パターンとして、データベース２６に、結晶方位ごとに登録された基準強度パターンを用いる点が異なる。その他の点については、上述した電子顕微鏡１００の処理部３０の処理と同様であり、その説明を省略する。
【０１８６】
電子顕微鏡２００では、データベース２６に登録された、試料の既知の結晶方位で得られた強度パターンを基準強度パターンとするため、各画素において、基準強度パターンの結晶方位と同じか否かを判断することができる。また、データベース２６に登録された、互いに結晶方位の異なる複数の基準強度パターンを用いることで、様々な結晶方位の特定が可能である。
【０１８７】
電子顕微鏡２００では、このようにして特定された結晶方位を、結晶方位画像上に表示してもよい。
【０１８８】
２．３．  処理の流れ
次に、第２実施形態に係る電子顕微鏡２００の処理部３０の処理の流れについて説明する。図２２は、第２実施形態に係る電子顕微鏡２００の処理部３０の処理の流れの一例を示すフローチャートである。以下では、上述した図１６に示す電子顕微鏡１００の処理部３０の処理と異なる点について説明し、同様の点については詳細な説明を省略する。
【０１８９】
強度パターン情報生成部３２は、第１〜第ｎ検出信号の強度に基づく強度パターンを生成する（Ｓ２００）。
【０１９０】
本処理Ｓ２００は、上述した処理Ｓ１００と同様に行われる。
【０１９１】
次に、パターン解析部３３は、走査像の任意の画素を（ｘ，ｙ）、その画素における強度パターンをａｘ，ｙとして、ａｘ，ｙをデータベース２６に登録された基準強度パターンと生成された強度パターンを比較して、結晶方位を特定する（Ｓ２０２）。
【０１９２】
具体的には、データベース２６に登録されている基準強度パターンｂとのユークリッド距離を算出し、ユークリッド距離が所定値よりも小さい場合に、その画素における結晶方位が、基準強度パターンの結晶方位と同じと判断する。
【０１９３】
パターン解析部３３は、結晶方位が異なる複数の基準強度パターンを用いて、結晶方位を特定する処理を行ってもよい。具体的には、データベース２６に登録されているｍ個の基準強度パターンをｂ1，ｂ２，・・・，ｂｍとし、強度パターンａｘ，ｙと基準強度パターンｂ１，ｂ２，・・・，ｂｍのユークリッド距離をＤ１，Ｄ２，・・・，Ｄｍとする。
【０１９４】
パターン解析部３３は、まず、強度パターンａｘ，ｙと基準強度パターンｂ１のユークリッド距離Ｄ１を計算する。同様に登録されている基準強度パターンｂ２，・・・，ｂｍとのユークリッド距離Ｄ２，・・・，Ｄｍを計算し、得られたユークリッド距離Ｄ１，・・・，Ｄｍの中から所定値よりも小さいユークリッド距離を抽出し、その位置における結晶方位が、基準強度パターンの結晶方位と同じと判断し、その基準強度パターンに関連付けられた方位情報を出力する。また、パターン解析部３３は、回転角が異なる複数の基準強度パターンを用いて、結晶方位を特定する処理を行ってもよい。
【０１９５】
次に、画像生成部３４は、パターン解析部３３で生成された方位情報に基づいて、結晶方位画像を生成する（Ｓ２０４）。画像生成部３４は、パターン解析部３３で生成された方位情報に基づいて、結晶方位に対応した色、明るさなどの画素情報を決定し画像を生成する。
【０１９６】
画像生成部３４は、生成した画像を表示部２２に表示させる制御を行う（Ｓ２０６）。このとき、画像生成部３４は、例えば、生成された画像上に特定された結晶方位の情報を表示させてもよい。
【０１９７】
２．４．  特徴
電子顕微鏡２００は、例えば、以下の特徴を有する。
【０１９８】
電子顕微鏡２００では、パターン解析部３３は、結晶方位ごとに基準強度パターンが登録されたデータベース２６から基準強度パターン情報を取得する。そのため、電子顕微鏡２００では、容易に、結晶方位を特定することができる。
【０１９９】
電子顕微鏡２００では、パターン解析部３３は、データベース２６に登録された基準強度パターンと生成された強度パターンを比較して結晶方位を特定し、画像生成部３４は特定された結晶方位に基づいて結晶方位画像を生成する。そのため、電子顕微鏡２００では、容易に、結晶粒の結晶方位の特定が可能である。
【０２００】
２．５．  変形例
次に、第２実施形態に係る電子顕微鏡２００の変形例について説明する。
【０２０１】
上述した実施形態では、データベース２６に登録された既知の結晶方位の基準強度パターンを用いて、結晶方位を特定したが、結晶方位を特定する手法はこれに限定されない。
【０２０２】
例えば、立方晶の１００方位では、回折電子の強度分布が４回対称となり、他の結晶方
位では回折電子の強度分布は４回対称とならない。そのため、強度パターンが４回対称性を持っていれば、１００方位であると判断できる。以下、具体的に説明する。
【０２０３】
画像生成部３４では、取得した解析強度パターンをＦＦＴ（fast Fourier transform）することで解析強度パターンの周期性を解析する。例えば、解析の結果、４回対称性を持つと判断できれば、結晶方位は１００方位であると特定できる。
【０２０４】
電子顕微鏡２００では、例えば、電子プローブで試料Ｓを走査しながら、強度パターン情報生成部３２で生成された解析強度パターンから結晶方位を特定する。このとき、画像生成部３４は、結晶方位が特定できた画素を強調して表示する処理を行う。解析強度パターンの周期性による結晶方位の特定は、強度パターンに特徴のある方位しか解析できない。しかしながら、本手法は、結晶方位の解析を速く容易に行うことができ、また、データベースなどをあらかじめ準備する必要がない。
【０２０５】
上記では、電子プローブで試料Ｓを走査しながら、強度パターンを取得し、結晶方位を特定したが、試料Ｓ上の一点に電子線を照射して強度パターンを取得し、結晶方位を特定してもよい。
【０２０６】
本変形例では、パターン解析部３３は、強度パターンの対称性に基づいて、試料Ｓの結晶方位を特定する。そのため、容易に、試料Ｓの結晶方位を特定することができる。
【０２０７】
３．  第３実施形態
３．１．  電子顕微鏡
次に、第３実施形態に係る電子顕微鏡について図面を参照しながら説明する。図２３は、第３実施形態に係る電子顕微鏡３００の構成を示す図である。以下、第３実施形態に係る電子顕微鏡３００において、第１実施形態に係る電子顕微鏡１００の構成部材と同様の機能を有する部材については同一の符号を付し、その詳細な説明を省略する。
【０２０８】
上述した第２実施形態では、データベース２６に登録された既知の結晶方位の基準強度パターンを用いて結晶方位を特定した。
【０２０９】
これに対して、第３実施形態では、ＥＢＳＤ法による結晶方位の測定により結晶方位を特定する。
【０２１０】
電子顕微鏡３００は、図２３に示すように、ＥＢＳＤ検出器３０２を含む。また、電子顕微鏡３００では、処理部３０が制御部３６を含む。
【０２１１】
電子顕微鏡３００では、試料Ｓの表面に対して約７０°方向から電子線を入射する。試料Ｓに入射した電子は回折されて反射電子として試料Ｓから放出される。このとき現れる回折パターン（ＥＢＳＤパターン）がＥＢＳＤ検出器３０２に投影され、ＥＢＳＤ検出器３０２でこの回折パターンを取得する。取得された回折パターンの情報は、処理部３０に送られる。
【０２１２】
上記のように、ＥＢＳＤ検出器３０２で回折パターンを取得する場合、光軸ＯＡに対して試料Ｓを大きく傾斜させる。これに対して、電子検出器８で反射電子の検出を行う際には、試料Ｓを水平にして、第１実施形態と同様の状態（図１参照）で測定を行う。
【０２１３】
なお、光軸ＯＡに対して試料Ｓを大きく傾斜させた状態で、電子検出器８で測定を行ってもよい。この場合、対物レンズ４の直下では試料Ｓから放出した電子が到達しにくい場合がある。そのため、電子検出器８を試料Ｓから放出した電子が到達しやすい位置に配置
してもよい。
【０２１４】
また、この構成においてはＥＢＳＤ検出器３０２を電子検出器８として代用してもよい。具体的には通常ＥＢＳＤ検出器は二次元配列型の検出器が用いられ、画像として信号を取り込む。この取り込まれた画像を複数のエリアに分割し、エリア内の明るさを積分して信号量とし、エリアごとの信号量を使って強度パターンを生成する。
【０２１５】
制御部３６は、電子顕微鏡３００の光学系などを制御する処理を行う。例えば、ＥＢＳＤ法による測定は、制御部３６の処理により自動で行われる。
【０２１６】
３．２．  処理
次に、電子顕微鏡３００の処理部３０の処理について説明する。電子顕微鏡３００では、ＥＢＳＤ検出器３０２で取得された回折パターンに基づいて、パターン解析画像を構成する画素における結晶方位を特定する。このとき、パターン解析部３３は、パターン解析画像を構成する各画素において、当該画素における強度パターンと基準強度パターンを比較してグループ化し、グループごとに回折パターンを取得して、グループに対応する結晶方位を特定する。以下、この処理について具体的に説明する。以下では、上述した電子顕微鏡１００の処理と異なる点について説明し、同様の点については説明を省略する。
【０２１７】
電子顕微鏡３００では、上述した第１実施形態と同様に、電子プローブで試料Ｓ上を走査しながら、放出された反射電子を電子検出器８で検出し、信号強度配列ｓ（ｘ，ｙ，ｚ）を取得する。そして、強度パターン情報生成部３２が、走査像を構成する各画素について、強度パターンを生成する。記憶部２４には、走査像を構成する複数の画素の各々に対応して、強度パターンが記憶される。
【０２１８】
パターン解析部３３は、例えば、任意の画素における強度パターンを基準強度パターンとし、走査像を構成するすべての画素において、当該画素の強度パターンと基準強度パターンのユークリッド距離を求める。そして、ユークリッド距離が所定値以下の画素を集合Ｇ１とし、集合Ｇ＝Ｇ１とする。
【０２１９】
次に、集合Ｇ以外の任意の画素を選択し、選択された画素における強度パターンを基準強度パターンとして、集合Ｇ以外の画素において、ユークリッド距離を求める。そして、ユークリッド距離が所定値以下となる画素を集合Ｇ２とし、集合Ｇ＝Ｇ∪Ｇ２とする。
【０２２０】
さらに、集合Ｇ以外の任意の画素を選択し、選択された画素における強度パターンを基準強度パターンとしてユークリッド距離を求める。そして、ユークリッド距離が所定値以下になる画素を集合Ｇ３とし、Ｇ＝Ｇ∪Ｇ３とする。
【０２２１】
このように、強度パターンが類似する画素の集合を集合Ｇに加えていくと、最終的にすべての画素がＧに属し、求まった集合がｍ組あったとすると、Ｇ１，Ｇ２，・・・，Ｇｍの集合ができる。
【０２２２】
なお、上記では、集合Ｇ以外の画素における強度パターンを基準強度パターンとして、集合Ｇ以外の画素について、ユークリッド距離を求めてグループ化する処理を繰り返した。これに対して、集合Ｇ以外の画素における強度パターンを基準強度パターンとして、走査像を構成するすべての画素についてユークリッド距離を求めてグループ化する処理を繰り返してもよい。
【０２２３】
ここで、パターン解析の精度や回折電子の強度分布のばらつきによって、複数の集合に属する画素ができる場合がある。この場合、複数の集合に属する画素について、どれか１
つの集合に属して、複数の集合には属さないようにする。つまり０＝Ｇ１∩Ｇ２∩・・・∩Ｇｍとする。例えば、複数の集合に属する画素があった場合に、その画素の周囲の画素が属する集合からその画素の集合を判断してもよい。例えば、その画素が、周囲の画素が最も多く属した集合に属するものとしてものよいし、ユークリッド距離が最も小さい集合に属するものとしてもよい。
【０２２４】
パターン解析部３３は、得られた集合Ｇ１，Ｇ２，・・・，Ｇｍごとに、回折パターンを取得して結晶方位を特定する。具体的には、パターン解析部３３は、まず、集合Ｇ１に属する画素に対応する試料Ｓ上の領域を特定し、当該領域内における測定位置を決定する。なお、１つの集合に対して測定位置は１箇所でもよいし、複数箇所でもよい。
【０２２５】
そして、制御部３６は、この測定位置の情報に基づいて、当該位置の回折パターンが得られるように、電子顕微鏡１００の光学系の制御を行う。この結果、測定位置における回折パターンをＥＢＳＤ検出器３０２で取得することができる。そして、パターン解析部３３は得られた回折パターンから集合Ｇ１の結晶方位を特定する。その他の集合Ｇ２，・・・，Ｇｍについても同様の処理が行われる。この結果、パターン解析画像を構成するすべての画素について結晶方位を特定することができる。
【０２２６】
画像生成部３４は、得られた結晶方位情報に基づき、方位に対応した色および明るさに各画素を設定した結晶方位画像を生成する。
【０２２７】
なお、本実施形態において、パターン解析の処理は、上述した第１実施形態と同様であり、その説明を省略する。
【０２２８】
ここで、ＥＢＳＤ法では、試料面に対して電子線を斜め方向から高加速電圧の電子線を入射して回折パターンを得るため、試料Ｓ内における電子の散乱領域が大きくなる。そのため、分解能は数十ｎｍ程度となり、これ以下の粒径の結晶粒の解析は難しい。
【０２２９】
これに対して、電子顕微鏡３００では、低加速電圧の電子を、試料面に対して垂直方向から入射させるため、ＥＢＳＤ法による測定と比べて、電子の散乱領域が小さい。そのため、分解能は数ｎｍ程度となる。そのため、電子顕微鏡３００では、ＥＢＳＤ法の分解能以下の数ｎｍ程度の粒径の結晶粒についても結晶方位の解析が可能である。
【０２３０】
具体的には、画像生成部３４においてパターン解析画像を生成し、ＥＢＳＤ法によって結晶方位マップを取得する。そして、ＥＢＳＤ法によって取得した結晶方位マップとパターン解析画像とを対応させて、パターン解析画像の結晶方位を特定する。このとき、パターン解析画像に含まれる結晶粒のうち、ＥＢＳＤ法の分解能以下の結晶粒については結晶方位を特定できない。
【０２３１】
そのため、パターン解析画像に含まれる結晶粒のうち、ＥＢＳＤ法で結晶方位が特定できなかったＥＢＳＤ法の分解能以下の結晶粒については、ＥＢＳＤ法で結晶方位が特定された結晶粒の強度パターンに基づいて、結晶粒の結晶方位を特定する。
【０２３２】
具体的には、パターン解析画像とＥＢＳＤ法による結晶方位マップから、ＥＢＳＤ法で特定された結晶方位と強度パターンとを関連づけたデータベースを作成する。そして、ＥＢＳＤ法で結晶方位が特定できなかった結晶粒の強度パターンについて、データベースに登録された強度パターンとのユークリッド距離を計算し、最もユークリッド距離が小さい強度パターンに対応する結晶方位を、その結晶粒の結晶方位とする。
【０２３３】
これにより、パターン解析画像の結晶粒の方位は特定されるので、解析結果を基に画像
生成部３４は結晶方位画像を生成する。
【０２３４】
３．３．  処理の流れ
次に、第３実施形態に係る電子顕微鏡３００の処理部３０の処理の流れについて説明する。図２４は、第３実施形態に係る電子顕微鏡３００の処理部３０の処理の流れの一例を示すフローチャートである。以下では、上述した図１６に示す電子顕微鏡１００の処理部３０の処理と異なる点について説明し、同様の点については詳細な説明を省略する。
【０２３５】
強度パターン情報生成部３２は、第１〜第ｎ検出信号の強度に基づく強度パターンを生成する（Ｓ３００）。
【０２３６】
本処理Ｓ３００は、上述した処理Ｓ１００と同様に行われる。
【０２３７】
次に、パターン解析部３３は、記憶部２４に記憶された強度パターンに基づいて、パターン解析を行ってパターン解析情報を生成し（Ｓ３０２）、画像生成部３４がパターン解析情報に基づいてパターン解析画像を生成する（Ｓ３０４）。
【０２３８】
次に、パターン解析部３３は、ＥＢＳＤ法による結晶方位の解析結果に基づいて、パターン解析画像に含まれる結晶粒の結晶方位を特定する（Ｓ３０６）。
【０２３９】
このとき、パターン解析部３３は、例えば、結晶方位画像を構成する各画素において、当該画素における強度パターンと基準強度パターンを比較してグループ化し、グループ（集合）ごとにＥＢＳＤ法による回折パターンを取得して、グループに対応する結晶方位を特定してもよい。
【０２４０】
また、パターン解析部３３は、例えば、ＥＢＳＤ法による結晶方位マップによる結晶方位の解析結果に基づいて、パターン解析画像に含まれる結晶粒の結晶方位を特定してもよい。そして、パターン解析画像の結晶粒のうち、結晶方位マップにより結晶方位が特定できなかった結晶粒の結晶方位を、結晶方位マップにより結晶方位が特定された結晶粒の強度パターンに基づいて特定してもよい。
【０２４１】
次に、画像生成部３４は、特定された結晶方位に基づいてそれぞれの画素が対応した明るさおよび色で表された結晶方位画像を生成する（Ｓ３０８）。
【０２４２】
次に、画像生成部３４は、生成した結晶方位画像および特定された結晶方位の情報を表示部２２に表示させる制御を行う（Ｓ３１０）。
【０２４３】
３．４．  特徴
電子顕微鏡３００は、例えば、以下の特徴を有する。
【０２４４】
電子顕微鏡３００は、試料Ｓに電子線を照射することによって得られた回折パターン（ＥＢＳＤパターン）を取得するＥＢＳＤ検出器３０２を含み、パターン解析部３３は、回折パターンに基づいて、パターン解析画像を構成する画素における結晶方位を特定する。そのため、電子顕微鏡３００では、パターン解析画像を構成する画素における結晶方位を特定することができる。
【０２４５】
電子顕微鏡３００では、パターン解析部３３は、パターン解析画像を構成する画素において当該画素の強度パターンと基準強度パターンを比較してグループ化し、グループごとにＥＢＳＤ法による回折パターンを取得して、グループにおける結晶方位を特定する。そのため、電子顕微鏡３００では、例えば、ＥＢＳＤ法により結晶方位マップを取得する場
合と比べて、ＥＢＳＤ法による解析の点数を削減できる。
【０２４６】
電子顕微鏡３００では、パターン解析部３３は、回折パターン（例えばＥＢＳＤ法による結晶方位マップ）に基づいてパターン解析画像に含まれる結晶粒の結晶方位を特定し、パターン解析画像の結晶粒のうち、回折パターンに基づき結晶方位が特定できなかった結晶粒の結晶方位を、回折パターンに基づき結晶方位が特定された結晶粒の強度パターンに基づいて特定する。そのため、電子顕微鏡３００では、例えば、ＥＢＳＤ法の分解能以下の結晶粒の結晶方位の特定が可能である。
【０２４７】
なお、上記では、ＥＢＳＤ法による回折パターンに基づく解析結果から、パターン解析画像に含まれる結晶粒の結晶方位を特定する場合について説明したが、結晶方位を特定する手法は特に限定されず、ＥＣＰ法による回折パターンに基づく解析結果から、パターン解析画像に含まれる結晶粒の結晶方位を特定してもよい。
【０２４８】
４．  第４実施形態
４．１．  電子顕微鏡
次に、第４実施形態に係る電子顕微鏡について図面を参照しながら説明する。図２５は、第４実施形態に係る電子顕微鏡４００の構成を示す図である。以下、第４実施形態に係る電子顕微鏡４００において、第１実施形態に係る電子顕微鏡１００の構成部材と同様の機能を有する部材については同一の符号を付し、その詳細な説明を省略する。
【０２４９】
電子顕微鏡４００は、図２５に示すように、試料Ｓに負荷を加えることが可能な試料負荷付与部４０２が設けられている。
【０２５０】
試料負荷付与部４０２は、例えば、試料Ｓに力を加えて変形させる機構を有する。また、試料負荷付与部４０２は、例えば、試料Ｓに熱を加える機構を有する。
【０２５１】
電子顕微鏡４００では、試料負荷付与部４０２を含むため、試料Ｓに力を加えて変形させながら画像を取得したり、試料Ｓに熱を加えながら画像を取得したりすることができる。
【０２５２】
４．２．  処理
次に、電子顕微鏡４００の処理部３０の処理について説明する。上述した第１実施形態では、１回の電子プローブの走査で走査像を構成する複数の画素における強度パターンを得た。そして、各画素において、当該画素の強度パターンと基準強度パターンを比較して、その類似性から各画素の明るさを計算しパターン解析画像を生成した。
【０２５３】
ここで、電子顕微鏡では、例えば試料Ｓに力を加えて変形させたり、熱を加えたりしながら試料Ｓの結晶粒の形状や成長を観察するといった使われ方もする。この場合、試料Ｓに熱や応力などの負荷を与えながら、電子プローブでの走査を繰り返し行い、連続した複数の走査像を取得していく。これにより、試料Ｓに与えられる負荷によって、結晶粒の形状が変化する様子を観察することができる。
【０２５４】
上述した結晶方位画像を生成する手法を、この観察方法に適用すれば、結晶粒の形状や結晶方位の変化を、よりわかりやすく、かつ、容易に観察できる。
【０２５５】
このとき、電子顕微鏡４００では、電子プローブでの走査を繰り返し行う際に、基準強度パターンを共通、すなわち同じ強度パターンとする。例えば、電子プローブでの走査を繰り返し行う際に、基準強度パターンが共通でない場合、１回目の走査で得られた結晶方位画像と、２回目の走査で得られた結晶方位画像において、同じ強度パターンが得られた
画素があったとしても、その画素の明るさは異なってしまう。
【０２５６】
例えば、基準強度パターンを、１回の走査で得られる走査像の任意の画素（例えば視野の中心に位置する画素）における強度パターンとした場合、走査を繰り返すことによって、当該画素に対応する結晶粒が歪んだり、結晶方位が変化したりして、基準強度パターンが変化してしまう。そのため、電子顕微鏡４００では、電子プローブでの走査を繰り返し行う際に、基準強度パターンを共通とする。以下、この手法について、具体的に説明する。また、以下では、上述した電子顕微鏡１００の処理と異なる点について説明し、同様の点については説明を省略する。
【０２５７】
基準強度パターンを設定するタイミングは、試料Ｓに負荷を与える前（負荷試験前）と、試料Ｓに負荷を与えた後（負荷試験後）の二通りが考えられる。
【０２５８】
まず、負荷試験前に基準強度パターンを設定する場合について説明する。試料Ｓに負荷を与える前に基準強度パターンを設定することで、試料Ｓに負荷を与えながらリアルタイムで試料Ｓの状態の変化を確認できる。例えば、ＥＢＳＤ法などによってあらかじめ結晶方位が既知の試料Ｓで、ある方位に注目して負荷を与えたときの変化を見たい場合に有効である。
【０２５９】
負荷試験前に、１スキャン分のデータを取得する。すなわち、１スキャン分の走査像を構成するすべての画素における強度パターンを取得する。取得した強度パターンのデータから基準強度パターンを取得する。基準強度パターンは、任意の画素（例えば視野の中心の画素）における強度パターンが自動で選択されるようになっていてもよいし、取得した強度パターンのデータから走査像を生成してユーザーが走査像から基準強度パターンを取得する画素を選択できるようになっていてもよい。
【０２６０】
また、特定の結晶方位の変化に注目したい場合で、あらかじめその結晶方位での強度パターンが分かっている場合は、その強度パターンを基準強度パターンとしてもよい。
【０２６１】
また、任意の画素における強度パターンを取得して仮の基準強度パターンとし、その仮の基準強度パターンを用いて仮のパターン解析画像を生成して結晶粒を観察しやすくしてから、当該仮のパターン解析画像から基準強度パターンを得る画素を指定してもよい。
【０２６２】
設定された基準強度パターンは、記憶部２４に記憶される。なお、基準強度パターンは複数設定されてもよい。
【０２６３】
次に、試料Ｓに負荷を与え、電子プローブで試料Ｓ上を走査しながら、複数の検出領域９で電子を検出する。そして、パターン解析部３３は、走査像を構成する各画素において、決定された基準強度パターンと、第１〜第ｎ検出信号の強度に基づく強度パターンを比較し、画像生成部３４はパターン解析部３３における解析結果に基づいてパターン解析画像を生成する。画像生成部３４は、試料Ｓに負荷を与えてから１回目の走査で生成されたパターン解析画像、２回目の走査で生成されたパターン解析画像、・・・、をそれぞれ走査回数の情報に関連づけて記憶部２４に記憶させる処理を行う。
【０２６４】
この結果、得られた複数のパターン解析画像から、注目する結晶粒の形状や結晶方位が試料Ｓに与えられる負荷によって変化する様子を観察することができる。
【０２６５】
また、負荷試験を行いながらこれらの処理を行い、得られた最新のパターン解析画像を表示部２２に表示することで、試料の結晶粒の様子が観察でき、それに合わせて負荷の強弱を変化させるといった使い方もできる。
【０２６６】
次に、負荷試験後に基準強度パターンを決定する場合について説明する。
【０２６７】
電子プローブで試料Ｓ上を走査しながら、負荷試験を開始し、複数の検出領域９で電子を検出する。そして、１回目の走査で得られた、電子線の入射位置に関連付けられた第１〜第２検出信号の信号量のデータ（以下「スキャンデータ」ともいう）、２回目の走査で得られたスキャンデータ、・・・は、走査回数の情報に関連づけられて記憶部２４に記憶される。このとき、第１〜第ｎ検出信号の強度の合計に基づく走査像を表示部２２に表示させてもよい。
【０２６８】
走査回数が多くなると、データ量が大きくなるため、スキャンデータを圧縮変換してもよい。
【０２６９】
負荷試験後に、パターン解析部３３は、記憶部２４からスキャンデータを読み出して解析を行い、画像生成部３４でパターン解析画像を順次生成して、表示部２２に表示させることができる。
【０２７０】
このようにして、記憶部２４に記憶されたスキャンデータに基づいて、電子プローブでの走査ごとに、パターン解析画像を生成および表示することができる。このとき、ユーザーが気になる結晶粒があった場合には、その結晶粒を指定することで、その結晶粒のその時点での強度パターンが基準強度パターンとなる。これにより、ユーザーが指定した結晶粒の変化を観察できる。
【０２７１】
なお、これらの２つの手法を組み合わせて、負荷試験前に基準強度パターンを設定し、リアルタイムでパターン解析画像を生成しながらスキャンデータを記録し、負荷試験後に改めて基準強度パターンを設定し、パターン解析画像を生成し、表示部２２に表示させることができる。
【０２７２】
また、結晶方位が関連付けられた強度パターンを基準強度パターンとして用い、パターン解析部３３で得られた解析結果から結晶方位を特定し、画像生成部３４で結晶方位画像を生成してもよい。
【０２７３】
４．３．  特徴
電子顕微鏡４００は、例えば、以下の特徴を有する。
【０２７４】
電子顕微鏡４００では、画像生成部３４は、電子プローブでの試料Ｓの複数回の走査に応じて、複数のパターン解析画像を生成し、複数のパターン解析画像において、基準強度パターンを共通とする。そのため、電子顕微鏡４００では、上述したように、試料Ｓの結晶性の変化を観察することができる。
【０２７５】
例えば、電子顕微鏡４００では、試料Ｓに熱を加えながら電子プローブでの走査を繰り返して、複数のパターン解析画像を取得することにより、試料Ｓの相転移の様子を観察することができる。さらに、試料Ｓの温度をモニターすることにより、相転移の温度を特定することができる。
【０２７６】
５．  第５実施形態
５．１．  電子顕微鏡
次に、第５実施形態に係る電子顕微鏡について図面を参照しながら説明する。図２６は、第５実施形態に係る電子顕微鏡５００の構成を示す図である。図２７は、電子検出器５０８を模式的に示す平面図である。
【０２７７】
以下、第５実施形態に係る電子顕微鏡５００において、第１実施形態に係る電子顕微鏡１００の構成部材と同様の機能を有する部材については同一の符号を付し、その詳細な説明を省略する。
【０２７８】
電子顕微鏡５００では、図２７に示すように、電子検出器５０８は、ｎ´個の検出領域５０９（検出部の一例）がライン状に配置された構成を有している。ただし、ｎ´は２以上の整数である。
【０２７９】
図２６に示す強度パターン情報生成部３２は、ｎ´個の検出領域５０９から出力されたｎ´個の検出信号の強度に基づいて、強度パターン情報としての強度ラインプロファイルを生成する。処理部３０は、強度パターン情報生成部３２で生成された強度ラインプロファイルに基づいて、結晶方位を特定するラインプロファイル解析部３８を含む。
【０２８０】
電子検出器５０８は、図２７に示すように、ｎ´個の検出領域５０９を有している分割型検出器である。ｎ´個の検出領域５０９は、図示の例では、円に沿って配置されている。検出領域５０９は、上述した図２に示す検出領域９と同様に、独立して電子を検出可能である。検出領域５０９は、後述する回折パターンのラインプロファイルが得られる数だけ配置される。
【０２８１】
電子顕微鏡５００では、１つの検出領域５０９の面積が、図２に示す電子検出器８の検出領域９の面積よりも小さい。図２に示す１つの検出領域９の面積は、例えば、電子検出器５０８が配置される面に形成される菊池線の幅よりも大きいが、図２７に示す１つの検出領域５０９の面積は、菊池線の幅よりも小さい。１つの検出領域５０９の面積は、菊池線を特定できるように、菊池線の幅よりも十分に小さいことが好ましい。
【０２８２】
電子検出器５０８は、例えば、円に沿って並べたｎ´個のフォトダイオードを含んで構成されている。ｎ´個のフォトダイオードがｎ´個の検出領域５０９に対応する。電子検出器５０８は、先端に蛍光塗料を塗布した光ファイバーを円に沿って並べて、後端に光検出器を接続したものであってもよい。光検出器としては、フォトダイオード、光電子増倍管などを用いることができる。
【０２８３】
図２８は、電子検出器５０８（検出領域５０９）が配置される面に形成される回折パターンと電子検出器５０８の関係を示す図である。なお、図２８では、便宜上、ｎ´個の検出領域５０９を線で表している。ｎ´個の検出領域５０９がつくる線を、検出線ともいう。
【０２８４】
図２８に示すように、試料Ｓに入射した電子は試料Ｓ内で散乱した後、結晶の格子面によって回折される。回折を受けた電子（反射電子）は試料Ｓから放出され、電子検出器８が配置される面には回折パターンが形成される。ここで、試料Ｓに入射した電子が結晶性の試料内で原子の熱振動による非弾性散乱を受けた後にブラッグ反射（弾性散乱）を起こすことによって菊池パターンが生じる。非弾性散乱を受けた電子の進行方向は、広い角度にわたって分布するので、ブラッグ反射位置には、ある結晶面の表面と裏面の反射による明線と暗線のペアが生じる。この明線と暗線のペアを菊池線という。
【０２８５】
図２８に示すように、ｎ´個の検出領域５０９は、ライン状であり、複数の菊池線を横断するように構成されている。そのため、ｎ´個の検出領域５０９により、ｎ´個の検出領域５０９が配置されたラインに沿ったラインプロファイル（以下、「強度ラインプロファイル」ともいう）を取得することができる。強度ラインプロファイルは、検出線上の輝度（菊池線の強度）を表している。
【０２８６】
５．２．  処理
次に、電子顕微鏡５００の処理部３０の処理について説明する。電子顕微鏡５００では、強度パターン情報生成部３２は、ｎ´個の検出領域５０９から出力されたｎ´個の検出信号の強度に基づいて、強度パターン情報としての強度ラインプロファイルを生成する。ラインプロファイル解析部３８は、強度ラインプロファイルに基づいて、結晶方位を特定する。以下では、上述した電子顕微鏡１００の処理と異なる点について説明し、同様の点については説明を省略する。
【０２８７】
５．２．１．  ラインプロファイルの生成
強度パターン情報生成部３２は、ｎ´個の検出領域５０９から出力されたｎ´個の検出信号の強度に基づいて、強度パターン情報としての強度ラインプロファイルを生成する。
【０２８８】
解析対象となる強度ラインプロファイルは、試料Ｓ上の結晶方位の解析を行う点（以下「解析点」ともいう）に、電子線を照射し、試料Ｓで散乱および回折されて試料Ｓから放出された電子を電子検出器５０８で検出することで取得することができる。
【０２８９】
図２９は、強度ラインプロファイルの一例を示す図である。
【０２９０】
強度ラインプロファイルは、横軸が回折パターン上での位置を表し、縦軸が回折パターンの強度（すなわち輝度）を表している。図示の例では、ｎ´個の検出領域５０９は、円に沿って配置されているため、強度ラインプロファイルは回折パターン上での前記円に沿った強度のプロファイルとなる。１つの検出領域５０９の面積は、菊池線の幅に対して十分に小さい。そのため、強度ラインプロファイルには、菊池線の明線に対応するピークおよび暗線に対応するボトムが見られる。
【０２９１】
５．２．２．  基準ラインプロファイルの生成
ラインプロファイル解析部３８は、試料Ｓの回折パターンを計算（シミュレーション）により求め、求めた回折パターンからラインプロファイル（以下「基準ラインプロファイル」ともいう）を生成する。第５実施形態では、ｎ´個の検出領域５０９を用いて得られた強度ラインプロファイルを、シミュレーションにより得られた回折パターンから生成されたラインプロファイル（基準ラインプロファイル）と比較することで、結晶方位を特定する。
【０２９２】
回折パターンは、シミュレーションにより求めることができる。具体的には、回折パターンは、例えば、結晶を構成する元素とその結晶構造、および試料Ｓに入射する電子のエネルギーから公知の手法を用いて計算できる。
【０２９３】
シミュレーションで得られた回折パターンから基準ラインプロファイルを生成するためには、例えば、検出線の形状および位置がわかればよい。
【０２９４】
検出線の形状および位置は、ｎ´個の検出領域５０９の形状および位置、ｎ´個の検出領域５０９が配置された面と試料Ｓとの間の距離から知ることができる。これらの情報は、装置の設計情報から取得できる。そのため、電子顕微鏡５００では、これらの情報は、あらかじめ記憶部２４に記憶されている。
【０２９５】
図３０および図３１は、基準ラインプロファイルを求める手法を説明するための図である。
【０２９６】
例えば、図３０に示すように、半径ｅの電子検出器５０８が対物レンズ４の下に、対物
レンズ４と電子検出器５０８との間の距離がｆの位置に配置されている場合、作動距離をｇとすると、試料Ｓと電子検出器５０８との間の距離は、距離ｇ−ｆとなる。そのため、電子検出器５０８は、回折パターン上の角度θ＝ｔａｎ−１（ｅ／（ｇ−ｆ））線上の信号を取得していることになる。したがって、シミュレーションで得られた回折パターンからこの角度θを満たす線上のプロファイルを取得することで、基準ラインプロファイルを生成することができる。
【０２９７】
回折パターンは、様々な結晶方位で計算され、それぞれについて基準ラインプロファイルが生成される。結晶方位と基準ラインプロファイルとは関連付けられて記憶部２４に記憶される。このようにして、解析対象となる試料の結晶方位と基準ラインプロファイルのデータベースを生成することができる。
【０２９８】
なお、回折パターンは、測定条件によって変わるので、あらかじめ様々な測定条件で回折パターンを計算してデータベースを作成しておき、測定条件に合わせたデータベースを読み出して使用してもよい。
【０２９９】
５．２．３．  解析
ラインプロファイル解析部３８は、強度パターン情報生成部３２で生成された強度ラインプロファイルと基準ラインプロファイルとを比較して、結晶方位を特定する。
【０３００】
強度パターン情報生成部３２で生成された強度ラインプロファイルは、データベースの基準ラインプロファイルと比較され、プロファイルの形状が最も近い基準ラインプロファイルに関連付けられた結晶方位が解析点の結晶方位となる。
【０３０１】
解析点での強度ラインプロファイルと、データベースの基準ラインプロファイルとの比較は、例えば、ユークリッド距離を用いた計算により行うことができる。強度ラインプロファイルと基準ラインプロファイルのユークリッド距離は、上述した強度パターンのユークリッド距離Ｄを求める場合と同様の計算（式（１）、または式（２）参照）により求めることができる。
【０３０２】
なお、強度ラインプロファイルと基準ラインプロファイルとの比較は、ユークリッド距離を用いた手法に限定されない。例えば、シミュレーションにより得られた回折パターン中の菊池線の位置および幅をデータベースに登録し、強度ラインプロファイルから菊池線の位置および幅を推定し、データベースを検索することで、比較を行ってもよい。この手法によれば、シミュレーションにより回折パターンの強度を求めなくても良いため、データベースをより簡単に作成することができる。
【０３０３】
このようにして得られた解析点における結晶方位の解析結果は、表示部２２に表示される。
【０３０４】
５．３．  処理の流れ
次に、第５実施形態に係る電子顕微鏡５００の処理部３０の処理の流れについて説明する。図３２は、第５実施形態に係る電子顕微鏡５００の処理部３０の処理の流れの一例を示すフローチャートである。以下では、上述した図１６に示す電子顕微鏡１００の処理部３０の処理と異なる点について説明し、同様の点については詳細な説明を省略する。
【０３０５】
まず、ラインプロファイル解析部３８は、解析対象となる試料の結晶方位と基準ラインプロファイルのデータベースを生成する（Ｓ４００）。ユーザーが操作部２０を介して解析対象となる試料の組成およびその結晶構造を入力すると、ラインプロファイル解析部３８は、解析対象となる試料において、様々な結晶方位の基準ラインプロファイルを生成し
、生成した基準ラインプロファイルを結晶方位と関連づけてデータベースに登録する。データベースは、記憶部２４に記憶される。
【０３０６】
次に、強度パターン情報生成部３２は、ｎ´個の検出領域５０９から出力されたｎ´個の検出信号の強度に基づいて、解析点における強度ラインプロファイルを生成する（Ｓ４０２）。
【０３０７】
次に、ラインプロファイル解析部３８は、解析点における強度ラインプロファイルと、基準ラインプロファイルとを比較して、結晶方位を特定する（Ｓ４０４）。
【０３０８】
画像生成部３４は、特定された結晶方位の情報を表示部２２に表示させる制御を行う（Ｓ４０６）。
【０３０９】
５．４．  特徴
電子顕微鏡５００は、例えば、以下の特徴を有する。
【０３１０】
電子顕微鏡５００では、強度パターン情報生成部３２は、複数の検出領域５０９から出力された複数の検出信号の強度に基づいて、強度ラインプロファイルを生成する。そのため、電子顕微鏡５００では、上述した電子顕微鏡１００と同様に、容易に、試料Ｓの結晶性の情報を得ることができる。
【０３１１】
さらに、電子顕微鏡５００では、複数の検出領域５０９を備えた電子検出器５０８によって反射電子を検出することで測定が可能であるため、例えばＥＢＳＤ法やＥＣＰ法による測定に比べて、短時間で測定が可能である。
【０３１２】
電子顕微鏡５００では、ラインプロファイル解析部３８は、強度ラインプロファイルに基づいて、結晶方位を特定する。そのため、容易に、試料Ｓの結晶性の情報を得ることができる。
【０３１３】
電子顕微鏡５００では、ラインプロファイル解析部３８は、試料Ｓに電子線を照射することによって得られる回折パターンを計算により求め、求めた回折パターンから基準となる基準ラインプロファイルを生成し、強度ラインプロファイルと、基準ラインプロファイルとを比較して、結晶方位を特定する。そのため、容易に、試料Ｓの結晶性の情報を得ることができる。
【０３１４】
５．５．  変形例
次に、第５実施形態に係る電子顕微鏡５００の変形例について説明する。
【０３１５】
５．５．１．  第１変形例
図３３および図３４は、電子検出器５０８の変形例について説明するための図である。図３３および図３４は、図２８に対応している。
【０３１６】
例えば、上述した電子検出器５０８は、図２７および図２８に示すように、ｎ´個の検出領域５０９は、円に沿って配置され、検出線が円である場合について説明したが、例えば、図３３に示すように、ｎ´個の検出領域５０９が多角形（図示の例では三角形）に沿って配置され、検出線が多角形であってもよい。また、図３４に示すように、ｎ´個の検出領域５０９による検出線は、閉曲線でなくてもよい。図３４に示す電子検出器５０８では、ｎ´個の検出領域５０９が平行な２つの線と、当該２つの線の端を接続する線と、に沿って配置され、検出線はこれらの線で形成される形状である。
【０３１７】
なお、図２８に示す検出線が円の場合には、強度ラインプロファイルが回転している場合でも、式（２）を用いて、ユークリッド距離を求めることができる。しかし、図３３および図３４に示す検出線では、式（２）を用いてユークリッド距離を求めることができない。そのため、データベースには、あらかじめ様々な回転角のラインプロファイルを登録しておく。
【０３１８】
５．５．２．  第２変形例
図３５は、電子検出器５０８の変形例について説明するための図である。
【０３１９】
例えば、上述した図２７に示す電子検出器５０８は、ｎ´個の検出領域５０９を含んで構成されていたが、図３５に示す電子検出器５０８は、１つの検出領域５０９と、検出領域５０９を移動させる移動機構５１０と、を含んで構成されている。
【０３２０】
移動機構５１０は、図示の例では、検出領域５０９を円に沿って移動させる。移動機構５１０で検出領域５０９の位置を変更しながら、検出領域５０９が反射電子の検出を行うことにより、図２７に示す電子検出器５０８と同様の強度ラインプロファイルを得ることができる。強度パターン情報生成部３２は、例えば、検出領域５０９の位置とその位置での検出信号の強度とに基づいて、強度ラインプロファイルを生成する。
【０３２１】
なお、移動機構５１０は、図３３に示す検出線、図３４に示す検出線に沿って検出領域５０９を移動させてもよい。
【０３２２】
５．５．３．  第３変形例
上述した第５実施形態では、解析点における結晶方位を解析する場合について説明したが、解析点を移動させることで、上述した第１実施形態に係る電子顕微鏡１００と同様に、試料Ｓの結晶方位の分布を示す結晶方位画像を生成することもできる。この場合、試料Ｓの情報や測定条件は同じであるため、全ての解析点で同じデータベースを用いて結晶方位の解析を行うことができる。
【０３２３】
６．  第６実施形態
６．１．  電子顕微鏡
次に、第６実施形態に係る電子顕微鏡について図面を参照しながら説明する。図３６は、第６実施形態に係る電子顕微鏡６００の構成を示す図である。以下、第６実施形態に係る電子顕微鏡６００において、第５実施形態に係る電子顕微鏡５００の構成部材と同様の機能を有する部材については同一の符号を付し、その詳細な説明を省略する。
【０３２４】
電子顕微鏡６００は、図３６に示すように、Ｘ線検出器６０２と、信号処理部６０４と、を含む。さらに、電子顕微鏡６００では、処理部３０は、元素分析部３９を含む。
【０３２５】
上述した図２６に示す電子顕微鏡５００では、試料Ｓの組成情報をユーザーが入力したが、電子顕微鏡６００では、解析対象の試料Ｓの組成情報を、Ｘ線検出器６０２による元素分析の結果から取得する。
【０３２６】
Ｘ線検出器６０２は、例えば、エネルギー分散Ｘ線検出器、波長分散Ｘ線検出器等である。Ｘ線検出器６０２から出力される信号は、信号処理部６０４に送られる。信号処理部６０４では、Ｘ線検出器６０２からの信号に基づいて、スペクトルデータが生成され、処理部３０に送られる。元素分析部３９は、信号処理部６０４からのスペクトルデータ（ＥＤＳスペクトルデータ、ＷＤＳスペクトルデータ）に基づいて、元素分析を行う。
【０３２７】
６．２．  処理
電子顕微鏡６００では、ラインプロファイル解析部３８は、Ｘ線検出器６０２を用いた元素分析の結果に基づいて、回折パターンを計算する。
【０３２８】
まず、解析点に電子線を照射して発生したＸ線をＸ線検出器６０２で検出し、元素分析部３９で解析点の元素分析を行い、元素分析の結果としての組成情報を取得する。ラインプロファイル解析部３８では、この組成情報に基づいて、電子顕微鏡５００の場合と同様に、基準ラインプロファイルを生成し、データベースに登録する。その他の処理は、電子顕微鏡５００と同様であり、その説明を省略する。
【０３２９】
なお、解析点におけるＸ線検出器６０２によるＸ線の検出と、解析点における電子検出器５０８による回折パターンの検出は、同時に行われてもよい。また、まず、解析点におけるＸ線検出器６０２によるＸ線の検出を行い、元素分析の結果から回折パターンを検出する際の測定条件（入射エネルギーなど）を決定して、電子検出器５０８による回折パターンの検出を行ってもよい。
【０３３０】
６．３．  特徴
電子顕微鏡６００は、例えば、以下の特徴を有する。
【０３３１】
電子顕微鏡６００では、試料Ｓに電子線を照射することによって発生したＸ線を検出するＸ線検出器６０２を含み、ラインプロファイル解析部３８は、Ｘ線検出器６０２を用いた元素分析の結果に基づいて、回折パターンを計算する。そのため、電子顕微鏡６００では、試料の情報を正確に取得することができ、基準ラインプロファイルを精度よく生成することができる。
【０３３２】
例えば、電子顕微鏡５００では、ユーザーは試料の組成情報を知らなければならなかったが、電子顕微鏡６００では、その必要がない。したがって、電子顕微鏡６００では、容易に、結晶方位の解析が可能である。
【０３３３】
また、電子顕微鏡６００では、電子検出器５０８を用いて、結晶方位の解析が可能であるため、試料Ｓを傾斜させることなく水平な状態で、結晶方位の解析が可能である。そのため、Ｘ線検出器６０２で得られた元素分析の結果との整合を取りやすい。
【０３３４】
例えば、ＥＢＳＤ法で試料Ｓの結晶方位を特定する場合、試料Ｓを大きく傾けなければならない。しかしながら、このように試料Ｓを大きく傾けた状態では、Ｘ線検出器６０２を使用することはできない。したがって、試料Ｓを大きく傾けた状態で取得したＥＢＳＤ法による結晶方位の解析結果と、試料Ｓを水平にした状態で取得したＸ線検出器６０２を用いた元素分析の結果と、の整合を取ることが難しい。これに対して、電子検出器５０８は、Ｘ線検出器６０２と同様の条件で使用することができるため、このような問題が生じない。
【０３３５】
なお、上述した電子顕微鏡５００の第１〜第３変形例は、電子顕微鏡６００にも適用可能である。
【０３３６】
７．  第７実施形態
７．１．  電子顕微鏡
次に、第７実施形態に係る電子顕微鏡について図面を参照しながら説明する。図３７は、第７実施形態に係る電子顕微鏡７００の構成を示す図である。
【０３３７】
以下、第７実施形態に係る電子顕微鏡７００において、第１実施形態に係る電子顕微鏡１００および第５実施形態に係る電子顕微鏡５００の構成部材と同様の機能を有する部材
については同一の符号を付し、その詳細な説明を省略する。
【０３３８】
電子顕微鏡７００は、図３７に示すように、電子検出器８と電子検出器５０８の両方を含む。
【０３３９】
図３８は、電子顕微鏡７００に搭載された、電子検出器８と、電子検出器５０８と、を模式的に示す平面図である。
【０３４０】
図３８に示すように、円環状の検出面を円周方向に分割することで形成されたｎ個の検出領域９を囲むように、ｎ´個の検出領域５０９が配置されている。電子検出器８と電子検出器５０８とは、一体に構成されており、同時に動作可能である。
【０３４１】
なお、電子検出器８と電子検出器５０８とは、別体であってもよい。また、図示はしないが、電子顕微鏡７００は、電子検出器８を移動させる移動機構および電子検出器５０８を移動させる移動機構を含んで構成されていてもよい。この場合、電子検出器８を使用する場合には、電子検出器８を光軸ＯＡ上に移動させるとともに電子検出器５０８を光軸ＯＡ上から退避させ、電子検出器５０８を使用する場合には、電子検出器５０８を光軸ＯＡ上に移動させるとともに電子検出器８を光軸ＯＡ上から退避させる。
【０３４２】
７．２．  処理
電子検出器５０８は、１つの検出領域５０９の面積が小さいため、単位時間あたりに取得できる信号量が少ない。そのため、電子検出器５０８では、電子検出器８に比べて、解析点に電子線を照射する時間を長くしなければならない。
【０３４３】
しかしながら、電子線を照射する時間を長くすると、試料の汚染や、熱による試料の変形、試料の帯電などの問題が生じる。そのため、電子顕微鏡７００では、電子検出器８と電子検出器５０８の両方を含むことにより、電子検出器８を用いて電子線のスキャン速度を速くして結晶粒の形状を確認できる画像（例えば、パターン解析画像、結晶粒界画像等）を取得し、電子検出器５０８を用いて結晶粒中の少なくとも１点を解析点として結晶方位を解析することで結晶方位画像を取得することができる。以下、この処理について具体的に説明する。
【０３４４】
上述した第１実施形態で説明したように、電子検出器８を用いて結晶粒の形状を確認できる結晶粒界画像を取得することができる。
【０３４５】
図３９は、結晶粒界画像Ｉ２を模式的に示す図である。図４０は、結晶粒界画像Ｉ２に内接円を描いた状態を模式的に示す図である。
【０３４６】
結晶粒界画像Ｉ２において、結晶粒ごとに解析点を設定する。例えば、図４０に示すように、結晶粒界画像中の結晶粒に内接円を描き、内接円の中心を求めて、この中心を解析点とする。この処理を、結晶粒界画像中の全ての結晶粒に対して行う。これにより、１つの結晶粒に対して１つの解析点を設定することができる。
【０３４７】
このようにして結晶粒ごとに設定された解析点について、上述した第５実施形態で説明した処理により、結晶方位を特定する。この結果、結晶粒界画像Ｉ２中の結晶粒について結晶方位を特定することができ、結晶方位画像を生成することができる。
【０３４８】
７．３．  処理の流れ
次に、第７実施形態に係る電子顕微鏡７００の処理部３０の処理の流れについて説明する。図４１は、第７実施形態に係る電子顕微鏡７００の処理部３０の処理の流れの一例を
示すフローチャートである。
【０３４９】
まず、強度パターン情報生成部３２、パターン解析部３３および画像生成部３４が、図１６に示す強度パターンを生成する処理（Ｓ１００）、パターン解析情報を生成する処理（Ｓ１０２）、および画像を生成する処理（Ｓ１０４）を行って、結晶粒界画像を取得する（Ｓ５００）。
【０３５０】
次に、強度パターン情報生成部３２は、結晶粒界画像において、結晶粒ごとに解析点を設定する（Ｓ５０２）。強度パターン情報生成部３２は、結晶粒界画像中の結晶粒に内接円を描き、内接円の中心を求めて、この中心を解析点とする処理を、結晶粒界画像中の全ての結晶粒に対して行う。
【０３５１】
次に、強度パターン情報生成部３２、およびラインプロファイル解析部３８は、図３２に示す基準ラインプロファイルを生成する処理（Ｓ４００）、強度ラインプロファイルを取得する処理（Ｓ４０２）、および結晶方位を解析する処理（Ｓ４０４）を、設定された全ての解析点について行う（Ｓ５０４）。これにより、結晶粒界画像中の全ての結晶粒の結晶方位を特定することができる。
【０３５２】
画像生成部３４は、結晶粒界画像および結晶粒の結晶方位の特定結果（結晶方位情報）に基づいて、画像を生成する（Ｓ５０６）。画像生成部３４は、得られた結晶方位情報に基づき、結晶粒を結晶方位に対応した色および明るさに設定し、結晶方位画像を生成する。
【０３５３】
次に、画像生成部３４は、生成した結晶方位画像を表示部２２に表示させる制御を行う（Ｓ５０８）。このとき、画像生成部３４は、生成された結晶方位画像上に特定された結晶方位の情報を表示してもよい。
【０３５４】
７．４．  特徴
電子顕微鏡７００は、例えば、以下の特徴を有する。
【０３５５】
電子顕微鏡７００は、電子検出器８と電子検出器５０８の両方を含む。そのため、結晶方位画像を容易に取得することができる。
【０３５６】
なお、上述した第６実施形態に係る電子顕微鏡６００におけるＸ線検出器６０２を用いた元素分析の結果に基づいて、回折パターンを計算する処理は、第７実施形態にも適用可能である。
【０３５７】
７．５．  変形例
第７実施形態に係る電子顕微鏡７００の変形例について説明する。
【０３５８】
上述した第７実施形態では、結晶粒中の１点で結晶方位の解析を行った。しかしながら、電子線を試料の１点に長時間照射すると、この１点に局所的な試料汚染が起こってしまう。この場所でＳＥＭ像を取得すると、試料汚染が確認できる。
【０３５９】
そのため、本変形例では、電子線を走査しながら、電子検出器８と電子検出器５０８の両方で、試料Ｓから放出された電子を検出する。そして、電子検出器８の検出信号から結晶粒界画像を生成して結晶粒を特定し、１つの結晶粒内で取得された電子検出器５０８の検出信号を積算して１つの強度ラインプロファイルを生成する。これにより、試料の１点に長時間電子線を照射することなく、強度ラインプロファイルを取得することができる。
【０３６０】
また、上述した第７実施形態では、１つの結晶粒では、結晶方位が同じであるものとして、結晶方位の解析を行う場合について説明した。しかしながら、結晶粒内でも結晶方位が異なる場合がある。このような場合でも、結晶方位画像や結晶粒界画像では、結晶粒内に結晶方位の変化があることがわかるため、このような結晶粒に対しては解析点を増やして結晶方位の解析を行ってもよい。
【０３６１】
８．  その他
上述した第１〜第７実施形態では、試料表面が水平または水平に近い状態（例えば試料傾斜角が１０°以下）にした試料Ｓに対して、低エネルギーの電子線を入射させることによって、明瞭な回折パターンを取得することができる。以下、その理由について説明する。
【０３６２】
試料に電子線を入射させると試料内で散乱されて、様々なエネルギーの電子が試料表面から放出される。ＥＢＳＤ法による結晶方位の解析に利用される回折パターンは、試料表面から放出される電子のうち、入射エネルギーに対してエネルギーロスの少ない電子によるものである。
【０３６３】
図４２は、鉄原子に対する電子の弾性散乱断面積を示すグラフである。図４２に示すグラフは、直線運動している電子が原子に近づいて電子と原子の相互作用により散乱を起こしたときの角度変化量とその確率を示している。
【０３６４】
まず、試料に入射する電子のエネルギーが高い場合を考える。図４２に示すグラフからわかるように、高エネルギーの電子は、試料内で散乱しても角度変化が小さい。また、試料に入射した電子は、試料最表面で散乱するわけでなく、平均自由行程の深さまで侵入して散乱するが、平均自由行程は、電子のエネルギーが高くなるほど大きくなる。そのため、試料を水平にして試料に高エネルギーの電子線を入射すると、すなわち、試料表面に対して垂直に高エネルギーの電子線を入射すると、電子の散乱は試料表面から比較的深い領域で起こり、大部分の電子が試料の深い方向へ散乱する。また、ごくまれに電子が試料表面に到達して試料から放出されたとしても、このような電子は、散乱を繰り返しているため、エネルギーロスが大きい。したがって、試料を水平にして試料に高エネルギーの電子線を入射しても、回折パターンを形成するエネルギーロスの少ない電子はごくわずかしか試料表面から放出されない。
【０３６５】
そのため、ＥＢＳＤ法では、試料を大きく傾斜させて、試料表面に対して電子線を斜め方向から入射させている。これにより、試料中での電子の散乱領域と試料表面とが近づくので、散乱回数の少ない、すなわち、エネルギーロスの少ない電子が試料表面に到達しやすくなる。この結果、回折パターンを形成するエネルギーロスの少ない電子が試料表面から多く放出され、回折パターンを得やすい。
【０３６６】
次に、試料に入射する電子のエネルギーが低い場合を考える。図４２に示すように、低エネルギーの電子は、１８０°方向に散乱する確率が高エネルギーの電子に比べて高い。そのため、低エネルギーの電子線を試料に入射した場合、電子線の入射方向とは反対向きの散乱量が増加する。また、低エネルギーの電子は、高エネルギーの電子に比べて、試料中での平均自由行程が短いので、散乱が試料表面に近いところで起きやすい。そのため、低エネルギーの電子線を試料に入射させた場合、試料表面が水平でも、エネルギーロスの少ない電子が多く放出される。
【０３６７】
したがって、試料表面が水平または水平に近い状態（例えば試料傾斜角が１０°以下）にした試料Ｓに低エネルギーの電子線を入射させることによって、明瞭な回折パターンを取得することができる。例えば、加速電圧を１０ｋＶ以下、より好ましくは加速電圧を５
ｋＶ以下とする。これにより、試料Ｓに低エネルギーの電子を入射することができ、試料表面が水平または水平に近い状態であっても、明瞭な回折パターンを得ることができる。
【０３６８】
図４３は、試料から放出された電子（反射電子）が、散乱を起こした深さを示すグラフである。横軸は散乱が起きた深さであり、縦軸はその深さで散乱を起こした電子の割合を示している。図４３では、試料は、金である。
【０３６９】
加速電圧１５ｋＶ、試料傾斜角７０ｄｅｇの条件は、一般的に、ＥＢＳＤ法で菊池線を取得するために用いられる条件である。試料傾斜角とは、水平方向に対する試料表面の傾き角である。言い換えると、試料傾斜角とは、水平面を基準、すなわち０°とした場合の試料表面の傾きである。なお、電子線は、水平面に対して鉛直方向から試料に入射するものとする。
【０３７０】
加速電圧１５ｋＶ、試料傾斜角７０ｄｅｇの場合、試料から放出される電子のうち、散乱を起こした深さが４０ｎｍ以下の電子の割合が８０％以上である。このように、試料傾斜角を大きくすることで、電子の散乱が起こる深さを浅くすることができ、試料から放出される電子において、エネルギーロスの少ない電子の割合を大きくすることができる。これにより、明瞭な回折パターンを得ることができる。
【０３７１】
加速電圧１５ｋＶ、試料傾斜角０ｄｅｇ（すなわち試料表面が水平）の場合、散乱は１００ｎｍよりも深い領域でも起こっている。そのため、この条件では、回折パターンのコントラストは非常に弱く、明瞭な回折パターンは得られない。
【０３７２】
これに対して、加速電圧５ｋＶ、試料傾斜角０ｄｅｇの場合、散乱が浅い箇所で集中して起こる。図４３に示すように、加速電圧５ｋＶ、試料傾斜角０ｄｅｇの場合、電子が散乱を起こした深さは、４０ｎｍ以下に集中している。具体的には、加速電圧５ｋＶ、試料傾斜角０ｄｅｇの場合、試料から放出される電子において、散乱を起こした深さが４０ｎｍ以下の電子の割合が９０％以上である。このように、加速電圧を低くすることで、試料表面が水平または水平に近い状態であっても、電子が散乱を起こす深さを浅くすることができ、試料から放出される電子において、エネルギーロスの少ない電子の割合を大きくすることができる。
【０３７３】
上記のように、試料表面が水平または水平に近い状態（例えば試料傾斜角を１０°以下）となるように試料を保持した状態で、低エネルギーの電子線を試料に入射することにより、電子は試料の浅い領域で散乱を起こし、エネルギーロスの少ない電子が試料から放出される。この結果、電子検出器８および電子検出器５０８が配置される面には、明瞭な回折パターンが投影される。
【０３７４】
なお、試料に低エネルギーの電子線を入射させることにより、試料に高エネルギーの電子線を入射させる場合に比べて、電子の散乱領域が小さくなる。これにより、反射電子の発生領域も小さくなるため、高い空間分解能での方位解析が可能となる。
【０３７５】
上述した実施形態及び変形例は一例であって、これらに限定されるわけではない。例えば各実施形態及び各変形例は、適宜組み合わせることが可能である。
【０３７６】
本発明は、実施の形態で説明した構成と実質的に同一の構成（例えば、機能、方法および結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した
構成を含む。
【符号の説明】
【０３７７】
２…電子源、３…収束レンズ、４…対物レンズ、５…走査偏向器、６…試料ステージ、８…電子検出器、９…検出領域、１０…走査信号発生器、１２…増幅器、１４…信号調整器、１６…信号取得部、１８…信号変換器、２０…操作部、２２…表示部、２４…記憶部、２６…データベース、３０…処理部、３２…強度パターン情報生成部、３３…パターン解析部、３４…画像生成部、３６…制御部、３８…ラインプロファイル解析部、３９…元素分析部、１００…電子顕微鏡、２００…電子顕微鏡、３００…電子顕微鏡、３０２…ＥＢＳＤ検出器、４００…電子顕微鏡、４０２…試料負荷付与部、５００…電子顕微鏡、５０８…電子検出器、５０９…検出領域、５１０…移動機構、６００…電子顕微鏡、６０２…Ｘ線検出器、６０４…信号処理部、７００…電子顕微鏡
【図１】
2019121588.tif 000008
【図２】
2019121588.tif 000009
【図３】
2019121588.tif 000010
【図４】
2019121588.tif 000011
【図５】
2019121588.tif 000012
【図６】
2019121588.tif 000013
【図７】
2019121588.tif 000014
【図８】
2019121588.tif 000015
【図９】
2019121588.tif 000016
【図１０】
2019121588.tif 000017
【図１１】
2019121588.tif 000018
【図１２】
2019121588.tif 000019
【図１３】
2019121588.tif 000020
【図１４】
2019121588.tif 000021
【図１５】
2019121588.tif 000022
【図１６】
2019121588.tif 000023
【図１７】
2019121588.tif 000024
【図１８】
2019121588.tif 000025
【図１９】
2019121588.tif 000026
【図２０】
2019121588.tif 000027
【図２１】
2019121588.tif 000028
【図２２】
2019121588.tif 000029
【図２３】
2019121588.tif 000030
【図２４】
2019121588.tif 000031
【図２５】
2019121588.tif 000032
【図２６】
2019121588.tif 000033
【図２７】
2019121588.tif 000034
【図２８】
2019121588.tif 000035
【図２９】
2019121588.tif 000036
【図３０】
2019121588.tif 000037
【図３１】
2019121588.tif 000038
【図３２】
2019121588.tif 000039
【図３３】
2019121588.tif 000040
【図３４】
2019121588.tif 000041
【図３５】
2019121588.tif 000042
【図３６】
2019121588.tif 000043
【図３７】
2019121588.tif 000044
【図３８】
2019121588.tif 000045
【図３９】
2019121588.tif 000046
【図４０】
2019121588.tif 000047
【図４１】
2019121588.tif 000048
【図４２】
2019121588.tif 000049
【図４３】
2019121588.tif 000050